(57)【要約】  アスペクト比の異なる複数種類の入力映像を、煩雑な調整作業を必要とせずに表示することができる投射型映像表示装置を提供すること。光源（１１）と、映像信号に基づいて表示領域に表示映像を表示し、表示映像によって前記光源からの照射光（１２）を変調して光学像（１４）を形成する表示素子（１３）と、ズームレンズ（１６）およびフォーカスレンズ（１５）を含み、前記光学像をスクリーン（２）に投射する投射レンズ（１７）と、前記ズームレンズの位置と前記フォーカスレンズの位置とを調整するレンズ駆動部（２３）と、前記スクリーンに投射される投射映像（３）を制御する投射映像制御部（３１）とを備え、前記投射映像制御部は、映像信号における入力映像のアスペクト比によって決定された、前記ズームレンズのレンズ位置情報と前記フォーカスレンズのレンズ位置情報とに基づいて、入力映像のアスペクト比に応じて前記レンズ駆動部を駆動する。
2010023868.tif 000002
【特許請求の範囲】
【請求項１】
光源と、
映像信号に基づいて表示領域に表示映像を表示し、前記表示映像によって前記光源からの照射光を変調して光学像を形成する表示素子と、
ズームレンズおよびフォーカスレンズを含み、前記光学像をスクリーンに投射する投射レンズと、
前記ズームレンズの位置と前記フォーカスレンズの位置とを調整するレンズ駆動部と、
前記スクリーンに投射される投射映像を制御する投射映像制御部とを備え、
前記投射映像制御部は、前記映像信号における入力映像のアスペクト比によって決定された、前記ズームレンズのレンズ位置情報と前記フォーカスレンズのレンズ位置情報とに基づいて、前記入力映像のアスペクト比に応じて前記レンズ駆動部を駆動することを特徴とする投射型映像表示装置。
【請求項２】
前記投射レンズを、投射光軸に対して垂直な方向へシフトさせるレンズシフト部駆動部と、
前記表示領域における前記表示映像の表示位置を変更する表示位置調整部とをさらに備え、
前記投射映像制御部は、前記投射レンズのシフト量と前記入力映像のアスペクト比とによって決定された前記表示映像の表示位置情報に基づいて、前記入力映像のアスペクト比に応じて前記表示位置調整部を動作させる請求項１に記載の投射型映像表示装置。
【請求項３】
前記表示領域における前記表示映像の大きさを縮小する映像縮小部をさらに備え、
前記投射映像制御部は、前記投射レンズのシフト量と前記入力映像のアスペクト比とによって決定された前記表示映像の縮小率情報に基づいて、前記入力映像のアスペクト比に応じて前記映像縮小部を動作させる請求項２に記載の投射型映像表示装置。
【請求項４】
前記入力映像のアスペクト比を自動的に検出するアスペクト比検出部をさらに備えた請求項１〜３のいずれか１項に記載の投射型映像表示装置。
【発明の詳細な説明】
【技術分野】
【０００１】
本発明は、液晶プロジェクタなどの投射型映像表示装置に関し、特にアスペクト比の異なる複数種類の入力映像をスクリーン上に適正に表示することができる投射型映像表示装置に関する。
【背景技術】
【０００２】
液晶プロジェクタなどの投射型映像表示装置には、映像信号によって、アスペクト比が異なる複数種類の入力映像が、表示されるべき映像として入力される。アスペクト比とは、表示される映像や映像信号での縦横比、または、表示素子やディスプレイ端末での表示画面の縦横比であり、以下本明細書では、アスペクト比として、映像の信号または表示素子における表示領域の縦横比を「長辺（横）：短辺（縦）」として表示することとする。【０００３】
たとえば、現行のＴＶ放送の映像や一般のパーソナルコンピュータの映像では、アスペクト比は４：３であり、ハイビジョン放送などの高品位映像のアスペクト比は１６：９、シネマスコープ映画映像のアスペクト比は２．３５：１となっている。【０００４】
一方、投射型映像表示装置において、投射される光学像を形成するライトバルブとして用いられる液晶パネルなどの表示素子は、表示映像を表示することができる領域としての表示領域を有している。当然のことながら、表示領域のアスペクト比は、入力映像のアスペクト比にかかわらず、それぞれの素子ごとに物理的に一定である。【０００５】
ところで、容易に大画面を実現することができるため、近年、家族で映画等を楽しめるホームシアター用として液晶プロジェクタが使用されるケースが増えている。このような液晶プロジェクタの表示素子である液晶パネルとしては、高品位映像に対応した１６：９のアスペクト比の表示領域を持つものを用いるのが一般的である。また、液晶プロジェクタから投射された投射映像を表示するスクリーンは、映像品質を確保するために壁面に固定して設置されることが好ましい。そして、この場合に使用されるスクリーンは、ホームシアター用として投射される映像の中で最も横長のアスペクト比である、シネマスコープ映画映像のアスペクト比、２．３５：１のものが用いられることが多い。【０００６】
このようなことから、特定の、例えば２．３５：１のアスペクト比を有するスクリーン上に、アスペクト比の異なる複数種類の投射映像を、適正に、すなわち、投射映像がスクリーンからはみだすことなく、かつ、スクリーンを最大限に活用した大きな投射映像が得られるように表示することが望まれている。【０００７】
そして、このような課題を解決する一つの方法として、入力映像を、その本来のアスペクト比から液晶パネルの表示領域のアスペクト比に合うように電気的に圧縮または拡大変換して、液晶パネルの表示領域を最大限活用して映像を表示し、これをアナモルフィックレンズで光学的に入力映像の本来のアスペクト比に戻し、スクリーンへ投射するという技術が知られている（特許文献１参照）。【０００８】
このアナモルフィックレンズを使った、従来の液晶プロジェクタでの投射方法について、図１２を用いて説明する。【０００９】
図１２は、従来の液晶プロジェクタで、アスペクト比の異なる三種類の入力映像が、液晶パネルとスクリーン上で、それぞれどのように表示されるかを示した図である。なお、ここでは、液晶パネルの表示領域５１のアスペクト比が１６：９、スクリーン５２のアスペクト比が２．３５：１である場合について説明する。【００１０】
図１２（ａ）は、映像信号が通常のＴＶ放送信号であり、映像信号における入力映像のアスペクト比が４：３の入力映像ａ１である場合である。この場合には、液晶パネルの表示領域５１のアスペクト比１６：９となるように、入力映像が電気的に横方向に拡大されて、液晶パネル上で表示映像ａ２として表示される。そして、この表示映像ａ２がアナモルフィックレンズによって縦方向に光学的に拡大変換されて、スクリーン５２上では投射映像ａ３で示すように本来のアスペクト比４：３の映像として表示される。このとき、スクリーン５２の左右両側は、非投射領域５３となる。【００１１】
図１２（ｂ）は、映像信号がハイビジョン放送の信号であり、映像信号における入力映像のアスペクト比が１６：９の入力映像ｂ１の場合である。この場合には、液晶パネルの表示領域５１のアスペクト比と、入力映像ｂ１のアスペクト比が同じであり、入力映像ｂ１の縦横比のまま液晶パネルの表示領域５１に表示映像ｂ２として表示される。そして、この表示映像ｂ２がアナモルフィックレンズによって縦方向に光学的に拡大変換されて、スクリーン５２上では、投射映像ｂ３で示すように本来のアスペクト比１６：９の映像として表示される。このときも、スクリーン５２の左右両側は、非投射領域５３となる。【００１２】
図１２（ｃ）は、映像信号における映像がシネマスコープ映画映像のアスペクト比２．３５：１の入力映像ｃ１の場合である。この場合には、液晶パネルの表示領域５１のアスペクト比１６：９となるように、入力映像ｃ１は電気的に横方向に縮小されて、液晶パネル上で表示映像ｃ２として表示される。そして、この表示映像ｃ２がアナモルフィックレンズによって横方向に光学的に拡大復調されてスクリーン５２に投射され、スクリーン５２上では投射映像ｃ３で示すように本来のアスペクト比２．３５：１の映像として表示される。【００１３】
このように、アナモルフィックレンズを使った、従来の液晶プロジェクタでは、異なるアスペクト比の入力映像であっても、液晶パネルの表示領域を全部使って表示映像を表示することになるため、光源であるランプの光を最大限に利用することができ、明るく、高品質の投射映像を得ることができる。また、この従来の液晶プロジェクタでの投射方法によれば、アスペクト比の異なる入力映像を切り替えて投射するにあたって、入力映像の切り替え時に投射レンズの位置調整を行う必要がないため、液晶プロジェクタの投射レンズの設定は、液晶プロジェクタを設置するときに１度だけ行えばよいという利点もある。
【先行技術文献】
【特許文献】
【００１４】
【特許文献１】特開２００５−７２８８７号公報
【発明の概要】
【発明が解決しようとする課題】
【００１５】
しかしながら、円筒状の曲面を有するアナモルフィックレンズは高価であるため、一般家庭のホームシアター用としての液晶プロジェクタに用いた場合には、装置が高価となってその普及が阻害される要因の一つとなっている。【００１６】
一方で、アナモルフィックレンズを用いない場合には、入力映像のアスペクト比が異なると、スクリーン上の投射映像の大きさが一定とならないため、入力映像のアスペクト比が変わるたびに投射レンズを調整しなくてはならず、また、投射光の光軸と、スクリーン面とが垂直にならない場合には、投射された映像がスクリーンからはみ出してしまうという問題が生じる。以下、図面を用いてこの課題について説明する。【００１７】
図１３は、アナモルフィックレンズを用いない場合に、アスペクト比の異なる入力映像が、液晶パネルおよびスクリーンでどのように表示されるかを示した図である。なお、図１２と同様に、図１３においても、液晶パネルの表示領域５１のアスペクト比を１６：９、スクリーン５２のアスペクト比を２．３５：１としている。【００１８】
図１３（ａ）は、入力信号がハイビジョン映像信号である場合であり、入力映像ｄ１のアスペクト比は１６：９である。この場合、液晶パネルの表示領域５１も同じアスペクト比であるため、入力映像は、そのまま液晶パネルの表示領域５１の全域に表示映像ｄ２として表示される。そして、スクリーン５２には、スクリーン５２の縦横比がより横長である分、その左右両側を非表示領域５３として投射映像ｄ３のように表示される。このとき、液晶プロジェクタとスクリーン５２との距離に応じて、ズームレンズによって、投射映像ｄ３の縦方向がスクリーン５２の縦方向いっぱいに表示されるよう調整し、さらにフォーカスレンズを微調整してスクリーン５２上に正しく焦点を合わせる。【００１９】
このような状態において、映像信号が図１３（ｂ）のシネマスコープ映画映像に変わった場合には、入力映像ｅ１のアスペクト比が表示領域５１のアスペクト比よりも横長の２．３５：１であるため、液晶パネルの表示領域５１には、上下に不使用領域５４を残した表示映像ｅ２として表示される。スクリーン５２には、その前に投射していたハイビジョン映像ｄ１と同じ倍率で投射されるために、非投射領域５３を周囲に残した、スクリーン５２の全面を使用しない小さな投射映像ｅ３として表示される。このため、スクリーン５２いっぱいに、適切な投射映像ｅ４として映像表示させることができるよう、ズームレンズを再調整して投射倍率を変更し、かつ、フォーカスレンズも微調整して焦点を合わせ直す必要がある。【００２０】
このように、映像信号における投射されるべき映像のアスペクト比が異なるたびに、ズーム作業と合焦作業とが必要となり、操作の煩雑さが発生する。なお、以下この課題を、本明細書では、第１の課題と称する。【００２１】
また、液晶プロジェクタなどの投射型映像表示装置では、本来、投射光の光軸である投射光軸がスクリーン面と垂直となるように、装置本体とスクリーンとを設置することが好ましい。投射光軸がスクリーンに対して垂直である場合、すなわち、垂直に設置されたスクリーンに対して投射光軸が水平である場合には、ゆがみがなく良質な投射映像が得られるからである。しかし、家庭用の液晶プロジェクタの場合には、省スペースと美観を保つとの観点から、壁面に設置されたスクリーンに対し、プロジェクタ装置本体を天井に設置して、スクリーン面に対して投射光軸が斜めに入射する状態で、映像を投射表示することが一般的である。そして、このように、スクリーン面と投射光軸が垂直に交わらない場合には、スクリーン上で正しく映像を表示するために、投射レンズを本来の投射光軸に対して垂直な方向に移動させるレンズシフトが行われている。レンズシフトをすることで、投射光が投射レンズの中心からずれて投射されることになり、投射軸が屈曲して、スクリーンに投射される映像をゆがみなく、上下もしくは左右方向にずらすことができる。【００２２】
このレンズシフト機能を用いた場合には、投射光軸と投射レンズの中心とがずれているために、特に、水平方向を０°とした投射角度が大きい場合、例えば、天井が高く部屋が狭い場合などには、投射映像の倍率を調整するズーム調整時に、投射映像の中心が移動し、スクリーンの中心からずれてしまう。このため、上記図１３で説明したような、入力映像のアスペクト比が変化したために、投射倍率の修正をズームレンズで行った場合には、図１４に示すように、投射映像ｆ１が、スクリーン５２外にはみ出してしまうという問題が生じる。以下この課題を、第２の課題と称する。【００２３】
本発明は、上記の課題を解決するためになされたもので、アナモルフィックレンズを用いない安価な装置構成にも関わらず、アスペクト比の異なる複数種類の入力映像を、煩雑な調整作業を必要とせずに表示することができる投射型映像表示装置を提供することを目的とする。
【課題を解決するための手段】
【００２４】
上記課題を解決するために、本発明の投射型映像表示装置は、光源と、映像信号に基づいて表示領域に表示映像を表示し、前記表示映像によって前記光源からの照射光を変調して光学像を形成する表示素子と、ズームレンズおよびフォーカスレンズを含み、前記光学像をスクリーンに投射する投射レンズと、前記ズームレンズの位置と前記フォーカスレンズの位置とを調整するレンズ駆動部と、前記スクリーンに投射される投射映像を制御する投射映像制御部とを備え、前記投射映像制御部は、前記映像信号における入力映像のアスペクト比によって決定された、前記ズームレンズのレンズ位置情報と前記フォーカスレンズのレンズ位置情報とに基づいて、前記入力映像のアスペクト比に応じて前記レンズ駆動部を駆動することを特徴とする。
【発明の効果】
【００２５】
本発明によれば、アスペクト比の異なる複数種の入力映像に対して、煩雑な調整作業を必要とせずに、スクリーン上に適正な投射映像を自動で投射することができる投射型映像表示装置を安価に提供することができる。
【図面の簡単な説明】
【００２６】
【図１】図１は、本発明の第１の実施形態にかかる液晶プロジェクタの設置の一例を示す図である。
【図２】図２は、本発明の第１の実施形態にかかる液晶プロジェクタの、光学的構成と電気回路構成とを示すブロック図である。
【図３】図３は、本発明の第１の実施形態にかかる液晶プロジェクタでの、投射レンズの位置調整の動作を示すフローチャートである。
【図４】図４は、本発明の第２の実施形態にかかる液晶プロジェクタの、光学的構成と電気回路構成とを示すブロック図である。
【図５】図５は、本発明の第２の実施形態にかかる液晶プロジェクタでの、液晶パネルの表示領域における表示位置調整の動作を示すフローチャートである。
【図６】図６は、図５で示した表示位置調整前の表示映像と投射映像との状態を示す図である。図６(ａ)は、液晶パネルの表示領域での表示映像の状態を示し、図６(ｂ)は、スクリーン上の投射映像の状態を示す。
【図７】図７は、図５で示した表示位置調整後の表示映像と投射映像との状態を示す図である。図７(ａ)は、液晶パネルの表示領域での表示映像の状態を示し、図７(ｂ)は、スクリーン上の投射映像の状態を示す。
【図８】図８は、本発明の第３の実施形態にかかる液晶プロジェクタの、光学的構成と電気回路構成とを示すブロック図である。
【図９】図９は、本発明の第３の実施形態にかかる液晶プロジェクタでの、液晶パネルの表示領域における表示映像の縮小と表示位置を調整する動作を示すフローチャートである。
【図１０】図１０は、図９で示した表示映像の縮小調整をする前の表示映像と投射映像との状態を示す図である。図１０(ａ)は、液晶パネルの表示領域での表示映像の状態を示し、図１０(ｂ)は、スクリーン上の投射映像の状態を示す。
【図１１】図１１は、図９で示した表示映像の縮小調整を行った後の表示映像と投射映像との状態を示す図である。図１１(ａ)および図１１(ｃ)は、液晶パネルの表示領域での表示映像の状態を示し、図１１(ｂ)および図１１(ｄ)および図１１（ｅ）は、いずれもスクリーン上の投射映像の状態を示す。
【図１２】図１２は、アナモフィックレンズを用いた従来の液晶プロジェクタでの入力映像と、表示映像と、投射映像との状態を示す図である。図１２（ａ）は、入力映像のアスペクト比が４：３の場合を示し、図１２（ｂ）は、入力映像のアスペクト比が１６：９の場合を示し、図１２（ｃ）は、入力映像のアスペクト比が２．３５：１の場合を示す。
【図１３】図１３は、アナモフィックレンズを用いない従来の液晶プロジェクタでの入力映像と、表示映像と、投射映像との状態を示す図である。図１３（ａ）は、入力映像のアスペクト比が１６：９の場合を示し、図１３（ｂ）は、入力映像のアスペクト比が２．３５：１の場合を示す。
【図１４】図１４は、従来の液晶プロジェクタでの投射映像がスクリーンからはみ出した状態を示す図である。
【発明を実施するための形態】
【００２７】
本発明の投射型映像表示装置は、光源と、映像信号に基づいて表示領域に表示映像を表示し、前記表示映像によって前記光源からの照射光を変調して光学像を形成する表示素子と、ズームレンズおよびフォーカスレンズを含み、前記光学像をスクリーンに投射する投射レンズと、前記ズームレンズの位置と前記フォーカスレンズの位置とを調整するレンズ駆動部と、前記スクリーンに投射される投射映像を制御する投射映像制御部とを備え、前記投射映像制御部は、前記映像信号における入力映像のアスペクト比によって決定された、前記ズームレンズのレンズ位置情報と前記フォーカスレンズのレンズ位置情報とに基づいて、前記入力映像のアスペクト比に応じて前記レンズ駆動部を駆動する。
【００２８】
このような構成を有することで、本発明の投射型映像表示装置では、映像信号が切り替わって入力映像のアスペクト比が異なるものとなった場合でも、入力映像のアスペクト比に応じたズームレンズのレンズ位置情報とフォーカスレンズのレンズ位置情報とによって、レンズ駆動部が駆動して、ズームレンズとフォーカスレンズをそのアスペクト比の映像を投射するに適した位置とすることができる。このため、高価なアナモルフィックレンズを用いなくても、複数種類のアスペクト比を有する入力映像をスクリーンいっぱいに、しっかりと合焦した状態で投射することができる。
【００２９】
上記投射型映像表示装置の構成において、前記投射レンズを、投射光軸に対して垂直な方向へシフトさせるレンズシフト部駆動部と、前記表示領域における前記表示映像の表示位置を変更する表示位置調整部とをさらに備え、前記投射映像制御部は、前記投射レンズのシフト量と前記入力映像のアスペクト比とによって決定された前記表示映像の表示位置情報に基づいて、前記入力映像のアスペクト比に応じて前記表示位置調整部を動作させることが好ましい。このようにすることで、レンズシフトが行われている場合でも、アスペクト比が異なる投射映像がスクリーンからはみ出した状態で投射されることを、効果的に防止することができる。
【００３０】
また、前記表示領域における前記表示映像の大きさを縮小する映像縮小部をさらに備え、前記投射映像制御部は、前記投射レンズのシフト量と前記入力映像のアスペクト比とによって決定された前記表示映像の縮小率情報に基づいて、前記入力映像のアスペクト比に応じて前記映像縮小部を動作させることが好ましい。このようにすることで、シフト量が大きい場合でも、複数種類のアスペクト比を有する投射映像を、スクリーンからはみ出すことなく、正確にスクリーン上に投射することができる。
【００３１】
さらに、前記入力映像のアスペクト比を自動的に検出するアスペクト比検出部をさらに備えることが好ましい。このようにすることで、使用者が入力映像のアスペクト比を設定する必要が無くなり、使用者に、より煩わしさを感じさせることなく、複数種類のアスペクト比の入力映像をスクリーンに適切に投射することができる。
【００３２】
以下、本発明の実施の形態として、本発明の投射型映像表示装置を家庭用の液晶プロジェクタとして用いた場合について、図面を参照しながら説明する。
【００３３】
（第１の実施形態）
図１は、本発明の第１の実施形態にかかる液晶プロジェクタ１の設置状態の一例を示す図である。
【００３４】
図１に示すように、本実施形態の液晶プロジェクタ１は、居室の天井４に設置固定され、居室の一つの壁面５に設置されたスクリーン２に投射映像３を投射する。なお、本実施形態においてスクリーン２のアスペクト比は、シネマスコープ映画映像のアスペクト比である２．３５：１となっている。
【００３５】
次に、図２は、本実施形態にかかる液晶プロジェクタ１の光学的な構成と電気回路の構成とを示す、ブロック構成図である。
【００３６】
図２に示すように、本実施形態にかかる液晶プロジェクタ１は、光源１１、この光源１１から照射された照射光１２が照射される表示素子である液晶パネル１３、液晶パネル１３で形成された光学像１４をスクリーン２に投射する投射レンズ１５を有している。
【００３７】
光源１１としては、周知の水銀ランプ、ハロゲンランプ、ＬＥＤランプなどの高輝度ランプを用いることができる。
【００３８】
液晶パネル１３は、本実施形態の液晶プロジェクタ１では透過型のパネルが用いられていて、図示しない表示領域に照射される光源１１からの照射光１２を変調して光学像１４を形成する。本実施形態の液晶パネル１３の表示領域のアスペクト比は、１６：９となっている。液晶パネル１３としては、例えば投射映像の大きさが６０インチから３００インチ程度である場合、０．５インチから１．２インチ程度の大きさのものを用いることができる。また、液晶パネル１３として、赤色、青色、緑色にそれぞれ対応した３枚を用いて、それぞれの色の投影像を、ダイクロイックミラーを用いて一つのカラー映像に合成することが行われている。
【００３９】
投射レンズ１５は、光学像１４を合焦させるフォーカスレンズ１６と、投射倍率を調整するズームレンズ１７とを少なくとも含んでいる。投射レンズ１５のフォーカスレンズ１６とズームレンズ１７とは、独立にその位置を制御することが可能であり、フォーカスレンズ１６の位置を制御することで、スクリーン２上の投射映像のフォーカスを合わせることができ、ズームレンズ１７の位置を制御することで、投射映像の大きさ、すなわち投射倍率を変更することができる。
【００４０】
また、投射レンズ１５は、後述するレンズシフト部駆動部２５によって、投射光軸、すなわち投射レンズ１５の光軸に対して垂直な方向に所定量シフトすることが可能となっている。投射レンズ１５をシフトすることで、投射光１８の向きを図２中に示す矢印１９の方向に角度θだけ曲げることができる。
【００４１】
次に、上記の光学的構成を備える本実施形態の液晶プロジェクタ１の電気回路構成を説明する。なお、図２において、液晶プロジェクタ１の電気回路の各構成部分をブロック図として示すが、これは所定の機能を果たす回路構成を一つのブロックとして捉えて表したものに過ぎない。したがって、本実施形態の液晶プロジェクタ１が、図２に示すような、それぞれのブロックに対応した回路基板等の物理的な構成要素を有することを示すものではない。
【００４２】
図２に示すように、本実施形態の液晶プロジェクタ１は、表示素子である液晶パネル１３に表示映像を表示する液晶パネル駆動部２１と、フォーカスレンズ１６の位置を調整するフォーカスレンズ駆動部２２およびズームレンズ１７の位置を調整するズームレンズ駆動部２３とを備えたレンズ駆動部２４、投射レンズ１５を投射光１８の光軸に対して垂直方向にシフトするためのレンズシフト部駆動部２５、スクリーン２上での投射映像の位置と大きさとを制御する投射映像制御部３１、映像信号における入力映像のアスペクト比を選択するアスペクト比設定部４１を備えている。
【００４３】
液晶パネル駆動部２１は、液晶プロジェクタ１に入力された映像信号に基づいて、液晶パネル１３の図示しない表示領域に表示映像を表示する。より具体的には、映像信号に基づいて、液晶パネル１３に形成された図示しない表示電極から所定の信号を入力し、同じく図示しない表示領域の表示画素の液晶分子の配向状態を制御して、映像信号における入力映像を表示映像として表示領域の所定の位置に表示させる。なお、液晶パネル１３の構造や、その駆動方法などは従来周知のものと同様であるため、詳細な説明は省略する。
【００４４】
フォーカスレンズ駆動部２２は、フォーカスレンズ１６の位置を調整してスクリーン２上の投射映像のフォーカスを調整する。具体的には、フォーカスレンズ駆動部２２は、フォーカスレンズ１６を投射光１８の本来の光軸と平行な方向、すなわち図２における左右方向に移動させためのステッピングモータなどの駆動機構として実現できる。フォーカスレンズ駆動部２２は、液晶プロジェクタ１の使用者が、手動で操作することも可能なように構成されている。また、フォーカスレンズ１６の位置を検知して、後述するフォーカスレンズ位置記憶部３２にフォーカスレンズ位置情報を出力する機能を有している。
【００４５】
ズームレンズ駆動部２３は、ズームレンズ１７の位置を調整してスクリーン２上での投射映像の大きさを変化させる。ズームレンズ駆動部２３も、フォーカスレンズ駆動部２２と同様に、ズームレンズ１７を投射光１８の本来の光軸と平行な方向、図２における左右方向に移動させためのステッピングモータなどの駆動機構として実現することができる。使用者が手動で操作できる構成である点や、ズームレンズ１７の位置を検知して、その位置情報をズームレンズ位置記憶部３３に出力できる点も、フォーカスレンズ駆動部２２と同様である。
【００４６】
これらのフォーカスレンズ駆動部２２とズームレンズ駆動部２３とが、レンズ駆動部２４を構成している。
【００４７】
上記したように、本実施形態の液晶プロジェクタ１には、投射レンズ１５から投射された投射光１８をスクリーン２の方向に向けるとともに、スクリーン２に斜めに入射する投射光１８での投射映像の台形ひずみなどを補正するために、投射レンズ１５を、本来の投射光軸に対して垂直方向、すなわち、図２における上下方向にシフトさせるレンズシフト部駆動部２５を有している。レンズシフト部駆動部２５が行うレンズシフト量が大きいほど、曲げられた投射光１８と水平軸とのなす角度θが大きくなる。
【００４８】
このレンズシフト部駆動部２５は、通常液晶プロジェクタ１を設置する初期設定の段階で調整され、以後は使用しない。特に、図１に示したように、液晶プロジェクタ１を天井４に設置固定し、壁面５に設置固定されたスクリーン２に投射映像を投射する場合には、液晶プロジェクタ１とスクリーン２がともに固定されているために、一旦適切な調整を行えば、その後にレンズシフト部駆動部２５を使用する必要はない。
【００４９】
なお、前述のように本実施形態の液晶プロジェクタ１は天井４に設置されており、スクリーン２が壁面５に設置されており、投射光１８をスクリーン２に垂直に入射させることができないために、レンズシフト部駆動部２５を使用して投射光の向きを変える調整を行ったが、スクリーン２に対してほぼ垂直に投射光１８を入射させることができる位置に液晶プロジェクタ１が位置する場合には、レンズシフト部駆動部２５は必ずしも必要ではない。したがって、本実施形態の液晶プロジェクタ１において、レンズシフト部駆動部２５は、必須の構成要素ではない。また、レンズシフト部駆動部２５によってレンズシフトを行った場合に生じる課題を解決する手段については、実施の形態２および３として後述する。
【００５０】
本実施形態の液晶プロジェクタ１は、その回路構成として投射映像制御部３１を有している。投射映像制御部３１は、液晶プロジェクタ１に入力される映像信号における入力映像のアスペクト比に対応してあらかじめ決定された、フォーカスレンズ１６の位置情報とズームレンズ１７の位置情報とに基づいて、映像信号における入力映像のアスペクト比が異なるものに変更された場合に、そのアスペクト比の入力映像を最適な状態でスクリーン２に投射することができるように、レンズ駆動部２４を制御する。
【００５１】
本実施形態の投射映像制御部３１は、図２に示すようにフォーカスレンズ位置記憶部３２と、ズームレンズ位置記憶部３３とを有している。また投射映像制御部３１は、レンズ駆動部２４を制御可能な、いずれも図示しないＣＰＵとＲＡＭやＲＯＭが共働する、ＣＰＵに入力されたプログラムの形態として実現することができる。
【００５２】
フォーカスレンズ位置記憶部３２にはフォーカスレンズの投射光軸方向の位置が、また、ズームレンズ位置記憶部３３にはズームレンズの投射光軸方向の位置が、それぞれのレンズの位置情報として記憶される。この位置情報は、フォーカスレンズ１６やズームレンズ１７の位置が移動するたびに最新のものに更新される情報であり、具体的にはフォーカスレンズ駆動部２２およびズームレンズ駆動部２３の、ステッピングモータの回転数などとして得ることができる。また、液晶プロジェクタ１の初期状態、すなわち、一般的には工場出荷段階では、フォーカスレンズ位置記憶部３２とズームレンズ位置記憶部３３には、あらかじめ、スクリーン２と液晶プロジェクタ１との間の標準的な距離を想定した、入力映像のアスペクト比ごとのズームレンズ１６とフォーカスレンズ１７のレンズ位置情報が記憶されている。
【００５３】
アスペクト比設定部４１は、液晶プロジェクタ１の使用者が、投射される映像のアスペクト比を選択するための操作部である。アスペクト比設定部４１は、例えば、テレビ放送、パソコン画面、ハイビジョン映像、シネマスコープ映画映像、字幕付きシネマと表示された操作釦として実現することができ、使用者が投射したい映像の種類を選択することで、その入力映像のアスペクト比情報が、投射映像制御部３１に伝達される。
【００５４】
次に、図３を用いて、本実施形態の液晶プロジェクタ１における、投射レンズ１５の位置を最適化する動作について説明する。
【００５５】
図３は、本実施形態の液晶プロジェクタ１において、映像信号における入力映像のアスペクト比ごとに、フォーカスレンズ１６とズームレンズ１７との、それぞれのレンズ位置情報を設定、記憶させる作業の流れを示すフローチャートである。
【００５６】
まず、ステップＳ１において、装置の使用者は、アスペクト比設定部４１を操作して入力映像のアスペクト比を選択、設定する。
【００５７】
次に、ステップＳ２において、投射映像制御部３１は、フォーカスレンズ位置記憶部３２から選択されたアスペクト比におけるフォーカスレンズ１６の位置情報を、また、ズームレンズ位置記憶部３３から同じく選択されたアスペクト比におけるズームレンズ１７の位置情報を、それぞれ抽出する。なお、上記したように、液晶プロジェクタ１の初期状態では、スクリーン２と液晶プロジェクタ１との間の標準的な距離を想定した、入力映像のアスペクト比ごとのズームレンズ１６とフォーカスレンズ１７の位置情報が記憶されている。
【００５８】
次に、ステップＳ３において、ステップＳ２において抽出されたレンズ位置情報に基づいて、まずズームレンズ１７を所定の位置に、ついでフォーカスレンズ１６を所定の位置に移動させる。このステップＳ３の段階で、投射映像がスクリーン２に適正に表示され、かつ焦点が適正であれば、フォーカスレンズ位置記憶部３２およびズームレンズ位置記憶部３３に記憶されたレンズ位置情報は更新されない。しかし、多くの場合は適正な表示が行われないので、使用者は、フォーカスレンズ１６とズームレンズ１７の位置を、スクリーン２に実際に投射された投射映像を見ながら調整する。
【００５９】
このとき、投射映像制御部３１は、ズームレンズ駆動部２３とフォーカスレンズ駆動部２２を介してそれぞれのレンズ位置を監視しており、ステップＳ４においてレンズの移動を検知すると、次のステップＳ５において移動が停止した状態でのレンズ位置情報を検出する。なお、レンズの移動が停止したか否かは、所定時間、例えば５秒間レンズ位置が変化しない場合に、その位置でレンズが停止したと判断させることができ、この停止位置を新たなレンズ位置情報とする。
【００６０】
そして、検出されたレンズの新たなレンズ位置情報は、ステップＳ６において、フォーカスレンズ位置記憶部３２およびズームレンズ位置記憶部３３に、あらかじめ記憶された情報に上書きして更新される。
【００６１】
一方で、ステップＳ４で、レンズの移動が検出されない場合には、フォーカスレンズ位置記憶部３２およびズームレンズ位置記憶部３３に蓄えられていたそれぞれのレンズの位置情報が、引き続き正しいレンズ位置情報であると判断することができる。
【００６２】
なお、ステップＳ６以降にもレンズの移動は常に監視されていて、レンズの移動があれば、新しいレンズ位置情報の更新を行う。
【００６３】
このようにして、一つの入力映像のアスペクト比について、レンズ位置情報を記憶させる動作が完了すると、アスペクト比の異なる入力映像ごとに同じ操作が繰り返し行われる。
【００６４】
そして、全てのアスペクト比の入力映像について、レンズ位置を記憶させる動作が終了すると、以降は、装置の使用者が、アスペクト比設定部４１から入力映像のアスペクト比を選択設定するだけで、投射映像制御部３１が、記憶されたレンズ位置情報に基づいて投射レンズ１５を移動させ、フォーカスレンズ１６とズームレンズ１７との位置を最適な投射映像が得られる状態にする。このため使用者は、入力映像のアスペクト比を選択するだけでよく、従来の投射型映像表示装置が有していた、映像信号における入力映像のアスペクト比が異なるたびにズーム作業と合焦作業というレンズ操作が必要であり、操作の煩雑さが生ずるという、第１の課題が解消されることになる。
【００６５】
（第２の実施形態）
次に、本発明の投射型映像表示装置の第２の実施形態として、投射レンズを投射光の光軸に対して垂直方向にシフトした場合に生じる、投射映像がスクリーンからずれてしまうという第２の課題を効果的に防止できる液晶プロジェクタについて説明する。
【００６６】
図４は、本発明の第２の実施形態である液晶プロジェクタ１００の、光学的な構成と電気回路の構成とを示すブロック構成図である。なお、図４においても図２と同様、ブロックとして示す液晶プロジェクタ１００の電気回路の各構成部分は、所定の機能を果たす回路構成を一つのブロックとして捉えて表したものに過ぎず、本実施形態の液晶プロジェクタ１００が、図４に示すような、それぞれのブロックに対応した回路基板等の物理的な構成要素を有することを示すものではない。
【００６７】
図４に示すように、第２の実施形態に係る液晶プロジェクタ１００は、図２を用いて説明した第１の実施形態にかかる液晶プロジェクタ１と同じ光学的構成を有している。
【００６８】
また、回路構成においては、第２の実施形態に係る液晶プロジェクタ１００は、投射映像制御部３１に制御される表示位置調整部２６を備えていて、映像信号が表示位置調整部２６を介して液晶パネル駆動部２１に入力される点と、投射映像制御部３１が表示位置記憶部３４を備えている点、さらに、使用者が操作する位置調整釦４２を備えている点が、第１の実施形態にかかる液晶プロジェクタ１と異なっている。なお、第２の実施形態にかかる液晶プロジェクタ１００では、レンズシフト部駆動部２５が必須の構成要件となっている点も、上記の第１の実施形態にかかる液晶プロジェクタ１と異なる。このため、以下では、第２の実施形態にかかる液晶プロジェクタ１００に特有の部分を中心に説明し、第１の実施形態にかかる液晶プロジェクタ１と共通する部分の説明は省略する。
【００６９】
図４に示す、第２の実施形態にかかる液晶プロジェクタ１００は、表示位置調整部２６を備えている。この表示位置調整部２６は、表示素子である液晶パネル１３の表示領域における、表示映像の表示位置を変更調整するものである。本実施形態の液晶プロジェクタ１００の表示素子である液晶パネル１３は、１６：９のアスペクト比の表示領域、すなわち、表示映像を表示することができる表示可能領域を有している。ここで、映像信号における入力映像のアスペクト比が１６：９の場合には、表示映像を表示可能な表示領域のアスペクト比と同じであるため、表示映像を表示領域いっぱいに表示することとなる。しかし、入力映像のアスペクト比が１６：９ではない場合には、表示領域と表示映像とのアスペクト比が異なり、表示領域の上下または左右に表示映像が表示されない非表示領域が生じるため、表示映像を表示領域の中心以外の領域に表示することが可能となる。表示位置調整部２６は、液晶パネル駆動部２１に入力される映像信号を調整して、液晶パネル１３の表示領域の中心以外の部分に表示映像を表示させるものである。
【００７０】
本実施形態の液晶プロジェクタ１００の表示位置記憶部３４は、表示位置調整部２６からの信号を受け取り、表示位置調整部２６が液晶パネル１３の表示領域におけるどの位置に表示映像を表示するように調整したかの表示位置情報を記憶する。
【００７１】
また、本実施形態の液晶プロジェクタ１００では、投射映像制御部３１は、使用者による位置調整釦４２の操作を受けて、表示位置調整部２６を制御して表示領域での表示位置を変更調整するとともに、表示位置記憶部３４から表示位置情報を取得し、この表示位置情報に基づいて表示位置調整部２６を制御して、液晶パネル１３の表示領域における表示映像の表示位置を調整する機能を有している。
【００７２】
位置調整釦４２は、投射映像制御部３１を介して、表示位置調整部２６に所定の信号を与えて、使用者が液晶パネル１３の表示領域における表示映像の表示位置を調整することを可能にする釦であり、回転式またはプッシュ式などの釦である。
【００７３】
次に、本実施形態の液晶プロジェクタ１００における表示位置の調整動作について、図５〜図７を用いて具体的に説明する。
【００７４】
図５は、本実施形態の液晶プロジェクタ１００において、異なるアスペクト比の入力映像をスクリーン２上に投射したときに、投射映像のはみ出しが生じた場合の表示位置調整の操作を示すフローチャートである。
【００７５】
まず、ステップＳ１１において、液晶プロジェクタ１００の使用者がアスペクト比設定部４１を操作して、入力映像のアスペクト比をハイビジョン映像のアスペクト比である１６：９に選択した場合を想定する。このとき、使用者は、図３を用いて実施の形態１で説明したフォーカスレンズ１６とズームレンズ１７とのレンズ位置情報を設定、記憶させる手順に則り、レンズ駆動部２４を制御してフォーカスレンズ１６とズームレンズ１７のレンズ位置を調整し、投射映像３がスクリーン２上に適正に投射されるように調整する。
【００７６】
次に、ステップＳ１２において、入力映像のアスペクト比をシネマスコープ映画映像のアスペクト比２．３５：１として、図３で示した手順に則ってフォーカスレンズ１６とズームレンズ１７のレンズ位置を調整する。このとき、レンズシフト部駆動部２５によって、大きなレンズシフト量が与えられ、投射光１８の投射方向１９が水平軸より大きく曲げられた場合、すなわち角度θが大きい場合には、投射映像３がスクリーン２からはみだす現象が発生する。この状態をステップＳ１３とする。
【００７７】
このときのスクリーン２の状態を示したものが、図６(ｂ)である。投射映像３は、左右方向はスクリーン２の横幅いっぱいに正しく投射されているが、上下方向は、スクリーン２に対して下方向にずれた位置に投射されていて、投射映像３の下部の部分がスクリーン２の外にはみ出している。このはみ出しが起きた状態では、図６(ａ)に示すように、液晶パネル１３の表示領域６の中心部と表示映像７の中心部は、一致して表示されている。表示映像７のアスペクト比が、表示領域６のアスペクト比より横長であるため、表示領域６の上下部分に、表示映像が表示されていない非表示領域８が生じている。
【００７８】
図５に戻って、次のステップＳ１４で、使用者が位置調整釦４２を操作して、スクリーン２を見ながら、図７（ｂ）に示すように、投射映像３とスクリーン２とが一致するように表示位置を調整する。
【００７９】
図７(ａ)は、図７(ｂ)に示した、位置調整釦４２の操作によってスクリーン２と投射映像３とが一致した状態での、表示領域６における表示映像７の表示位置を示したものである。図７（ａ）に示すように、表示映像７は、表示領域６の図中上方に偏った状態で表示され、表示映像７の上方の非表示領域８が、表示映像７の下方の非表示領域８よりも小さくなっている。
【００８０】
次に、図５に戻って、ステップＳ１５において、表示領域６における表示映像７の表示位置情報が、シネマスコープ映画映像のアスペクト比２．３５：１と関連づけられて、表示位置記憶部３４に記憶される。
【００８１】
以下、アスペクト比設定部４１でシネマスコープ映画映像が設定された場合には、投射映像制御部３１は、表示位置記憶部３４に記憶された液晶パネル４の表示領域６での表示映像７の表示位置情報を取得し、投射レンズ１５の位置補正を行うと同時に、表示位置の調整を自動的に行う。このため、使用者が位置調整釦４２を操作しなくても、投射映像３がスクリーン２に正しく投射されることとなる。
【００８２】
このように、レンズシフト部駆動部２５で投射レンズ１５が投射光軸に対して垂直な方向にシフトされている場合には、表示映像７を表示領域６の中心に位置させたままでは、投射映像３がスクリーン２からはみ出してしまうという、第２の課題が生じる場合があるが、本実施形態の液晶プロジェクタ１００では、この第２の課題を解消し使用者が煩雑な処理をすることなく、異なるアスペクト比の投射映像３を的確にスクリーン２上に投射することができる。
【００８３】
（第３の実施形態）
次に、本発明の投射型映像表示装置の第３の実施形態として、投射レンズを投射光の光軸に対して垂直方向にシフトするシフト量が大きい場合に生じる、投射映像がスクリーンから大きくずれてしまうという問題点を効果的に防止できる液晶プロジェクタについて説明する。
【００８４】
図８は、本発明の第３の実施形態である液晶プロジェクタ２００の、光学的な構成と電気回路の構成とを示すブロック構成図である。なお、図８においても図２や図４と同様、ブロックとして示す液晶プロジェクタ２００が、図８に示すような、それぞれのブロックに対応した回路基板等の物理的な構成要素を有することを示すものではない。
【００８５】
図８に示すように、第３の実施形態に係る液晶プロジェクタ２００は、図４を用いて説明した第２の実施形態にかかる液晶プロジェクタ１００と同じ光学的構成を有している。
【００８６】
また、回路構成においては、第３の実施形態に係る液晶プロジェクタ２００は、投射映像制御部３１に制御される映像縮小部２７を備えていて、映像信号が映像縮小部２７を介してから表示位置調整部２６、さらに、液晶パネル駆動部２６に入力される点と、投射映像制御部３１が映像縮小率記憶部３５を備えている点、さらに、使用者が操作する第２の調整釦である倍率調整釦４３を備えている点が、第２の実施形態にかかる液晶プロジェクタ１００と異なっている。なお、第３の実施形態にかかる液晶プロジェクタ２００においても、レンズシフト部駆動部２５は、必須の構成要件となっている。以下では、第３の実施形態にかかる液晶プロジェクタ２００に特有の部分を中心に説明し、第２の実施形態にかかる液晶プロジェクタ１００と共通する部分の説明は省略する。
【００８７】
図８に示す、第３の実施形態にかかる液晶プロジェクタ２００は、映像縮小部２７を備えている。この映像縮小部２７は、表示素子である液晶パネル１３の表示領域における表示映像の大きさを変化させて、より小さい映像として表示させるものである。このため、映像縮小部２７が動作している状態では、本実施形態の液晶プロジェクタ２００の表示素子である液晶パネル１３は、表示領域の横幅いっぱいには表示映像を表示せず、かつ、実施の形態２で説明した表示位置調整部２６によって、表示映像はその中心が表示領域の中心からずれた状態で表示されることとなる。
【００８８】
また、本実施形態の液晶プロジェクタ２００の映像縮小率記憶部３５は、映像縮小部２７からの信号を受け取り、入力映像のアスペクト比ごとに、映像縮小部２７が液晶パネル１３での表示映像の縮小率をいくらとしたのかという縮小率情報を記憶する。
【００８９】
また、本実施形態の液晶プロジェクタ２００では、投射映像制御部３１は、使用者による倍率調整釦４３の操作を受けて、映像縮小部２７へ表示映像の縮小率を指示するとともに、映像縮小率記憶部３５から縮小率情報を取得し、この縮小率情報に基づいて映像縮小部２７を制御して、液晶パネル１３の表示領域における表示映像の縮小率を調整する機能を有している。
【００９０】
倍率調整釦４３は、投射映像制御部３１を介して映像縮小部２７に所定の信号を与えて、使用者が液晶パネル１３の表示領域における表示映像の表示倍率を調整することを可能にする釦であり、回転式またはプッシュ式などの釦である。
【００９１】
次に、本実施形態の液晶プロジェクタ２００における表示映像の倍率調整と表示位置調整の動作について、図９〜図１１を用いて具体的に説明する。
【００９２】
図９は、本実施形態の液晶プロジェクタ２００において、異なるアスペクト比の入力映像をスクリーン２上に投射したときに、投射映像のはみ出しが生じた場合の表示映像の縮小率と表示位置を調整する操作を示すフローチャートである。
【００９３】
まず、実施形態２の場合と同様、液晶プロジェクタ２００の使用者が、アスペクト比設定部４１を操作して、入力映像のアスペクト比を、ハイビジョン映像の１６：９に選択した場合を想定する。このとき、使用者は、図３のフローチャートで示した動作の流れを用いて、実施の形態１で説明した手順に則り、レンズ駆動部２４を制御してフォーカスレンズ１６とズームレンズ１７のレンズ位置を調整し、投射映像３がスクリーン２上に適正に投射されるように調整する。また、図５のフローチャートで示した動作の流れを用いて表示映像の表示領域における表示位置を調整する。
【００９４】
しかし、レンズシフト部駆動部２５でのシフト量が大きい場合、すなわち、図８に示す投射角度θが極端に大きいときは、図６のステップＳ１４で、図１０（ａ）に示すように、表示映像７の表示位置を表示領域７の上限いっぱいにまで調整しても、図１０（ｂ）に示すように、投射映像３がスクリーン２からはみ出してしまう場合がある。この場合が、図９に示すフローチャートのステップＳ２１である。
【００９５】
このような場合、使用者は、次のステップＳ２２として、倍率調整釦４３を操作して表示領域６での表示映像７の表示倍率を変更し、表示映像７の大きさを縮小する。
【００９６】
このとき、投射映像制御部３１は、倍率調整釦４２の操作に応じて映像縮小部２７において、映像信号における映像入力の大きさを縮小させる。映像縮小部２７では、表示位置調整部２６を介して液晶パネル駆動部２１に入力される映像信号における入力映像自体を縮小するため、液晶パネル１３の表示領域６では、図１１（ａ）に示すように、図１０(ｂ)の場合と比較して、表示映像７の中心位置は一定のまま表示映像７の大きさのみが縮小される。この結果、表示領域６には表示映像７の上側に非表示領域８が生じる。なお、図１１（ｂ）に示すように、スクリーン２上でも投射映像３の倍率が小さくなる。
【００９７】
次に、使用者は、図９のフローチャートにおけるステップＳ２３に示すように、スクリーン２を見ながら、位置調整釦４２を操作して、投射映像制御部３１を介して表示位置調整部２６に指示を与え、図１１（ｃ）に示すように、表示領域６での表示映像７の位置をより上方に移動させる。この結果、投射映像３が上方に移動する。
【００９８】
この操作は、図１１(ｄ)に示すように、スクリーン２の中心と投射映像３の中心とが一致するまで繰り返し行われる。
【００９９】
図１１(ｄ)に示すように、スクリーン２の中心と投射映像３の中心とが一致した場合には、次のステップＳ２４として、使用者は、投射レンズ駆動部２４を操作して、ズームレンズ駆動部２３により、ズームレンズ１７の位置を調整して投射倍率を変換する。また、必要に応じてフォーカスレンズ１６の位置を調整して、スクリーン２上に投射映像３を正しく合焦させる。このようにして、図１１（ｅ）に示すような、スクリーン２からのはみ出しが無く、かつ、スクリーン２いっぱいに表示された投射映像３を得ることができる。
【０１００】
そして、次のステップＳ２５において、投射映像制御部３１は、調整された表示映像の縮小率を、シネマスコープ映画映像のアスペクト比２．３５：１と関連づけて、映像縮小率記憶部３５に記憶させる。合わせて、このときの表示位置情報を表示位置記憶部３４に、また、フォーカスレンズ１６とズームレンズ１７の位置情報を、フォーカスレンズ位置記憶部３２とズームレンズ位置記憶部３３に記憶させる。
【０１０１】
以下、使用者が入力映像のアスペクト比をアスペクト比設定部４１で設定するごとに、投射映像制御部３１は、フォーカスレンズ位置記憶部３２、ズームレンズ位置記憶部３３、表示位置記憶部３４、映像縮小率記憶部３５から、フォーカスレンズ位置情報、ズームレンズ位置情報、表示位置情報、縮小率情報をそれぞれ読み込んで、レンズ駆動部２４、表示位置調整部２６、映像縮小部２７をそれぞれ制御することで、スクリーン２上に適正に投射された投射映像３を得ることができる。
【０１０２】
このように、本実施形態の液晶プロジェクタ２００によれば、例えばプロジェクタ本体とスクリーン２との位置が近く、レンズシフト部駆動部２５により投射レンズが大きくシフトされた、投射角度θが極端に大きい場合でも、使用者に調整の煩わしさを与えることなく、異なるアスペクト比の入力映像をスクリーン２上に自動的に正しく投射することができる。
【０１０３】
なお、上記第２および第３の実施の形態では、入力映像が、アスペクト比が１６：９のハイビジョン映像から、アスペクト比が２．３５：１のシネマスコープ映画映像に切り替わった場合を例示して説明したが、本発明の投射型映像表示装置はこのような場合に限らず、ハイビジョン映像と字幕付きシネマとの組み合わせ等、入力映像のアスペクト比の種々の組み合わせに対しても、同様に効果を発揮し得ることは言うまでもない。
【０１０４】
また、上記本発明の説明において、各実施形態として説明した液晶プロジェクタでは、使用者がアスペクト比設定部４１を介して入力映像のアスペクト比を投射映像制御部３１に入力する場合について説明した。しかし、本発明の投射型映像表示装置は、これに限られるものではなく、例えば、投射映像制御部３１の機能として、映像信号における入力映像のアスペクト比を自動的に検出できるアスペクト比検出部を有するようにすることもできる。このように、投射映像制御部３１が、入力映像のアスペクト比を自動的に検出できるようにすることで、使用者による操作の煩雑性をより一層低減させることができる。
【０１０５】
また、上記の各実施形態において、本発明の投射型映像表示装置として、ホームシアターなどの家庭用の液晶プロジェクタを例示して説明したが、本発明の投射型映像表示装置は家庭用のものに限らず、駅や博物館などの公共機関に設置されるプロジェクタや、会議室、ホールなどに設置されるビジネス用途のプロジェクタに適用できることは言うまでもない。
【０１０６】
また、表示素子として、透過型の液晶パネルを用いた液晶プロジェクタを例示して説明したが、本発明の投射型映像表示装置の表示素子は、このような透過型の液晶パネルに限られるものではない。例えば、表示素子として、光源からの照射光を背面電極で反射させて変調する反射型の液晶パネルを用いることができる。また、液晶パネル以外にも、表示領域の表示画素として微細なミラーを多数配置したマイクロミラー素子など、光源からの照射光を変調して投射レンズで投射しうる投影像を形成できるものであれば、どのような表示素子でも本発明の表示素子として用いることができる。
【０１０７】
また、上記各実施形態の説明では、液晶プロジェクタの表示素子である液晶パネルにおける表示領域のアスペクト比を１６：９と、また、スクリーンのアスペクト比を２．３５：１としたものを例示して説明したが、本発明の投射型映像表示装置における表示素子の表示領域と、スクリーンのアスペクト比が、上記例示したものに限定されないことも言うまでもない。
【産業上の利用可能性】
【０１０８】
本発明は、アスペクト比の異なる複数の入力映像をスクリーンに表示する投射型の映像表示装置として幅広く利用可能である。
【図１】
2010023868.tif 000003
【図２】
2010023868.tif 000004
【図３】
2010023868.tif 000005
【図４】
2010023868.tif 000006
【図５】
2010023868.tif 000007
【図６】
2010023868.tif 000008
【図７】
2010023868.tif 000009
【図８】
2010023868.tif 000010
【図９】
2010023868.tif 000011
【図１０】
2010023868.tif 000012
【図１１】
2010023868.tif 000013
【図１２】
2010023868.tif 000014
【図１３】
2010023868.tif 000015
【図１４】
2010023868.tif 000016
【手続補正書】
【提出日】平成22年2月4日(2010.2.4)
【手続補正１】
【補正対象書類名】特許請求の範囲
【補正対象項目名】全文
【補正方法】変更
【補正の内容】
【特許請求の範囲】
【請求項１】
光源と、
映像信号に基づいて表示領域に表示映像を表示し、前記表示映像によって前記光源からの照射光を変調して光学像を形成する表示素子と、
ズームレンズおよびフォーカスレンズを含み、前記光学像をスクリーンに投射する投射レンズと、
前記ズームレンズの位置と前記フォーカスレンズの位置とを調整するレンズ駆動部と、
前記スクリーンに投射される投射映像を制御する投射映像制御部とを備え、
前記投射映像制御部は、前記映像信号における入力映像のアスペクト比によって決定された、前記ズームレンズのレンズ位置情報と前記フォーカスレンズのレンズ位置情報とに基づいて、前記入力映像のアスペクト比に応じて前記レンズ駆動部を駆動することを特徴とする投射型映像表示装置。
【請求項２】
前記投射レンズを、投射光軸に対して垂直な方向へシフトさせるレンズシフト部駆動部と、
前記表示領域における前記表示映像の表示位置を変更する表示位置調整部とをさらに備え、
前記投射映像制御部は、前記投射レンズのシフト量と前記入力映像のアスペクト比とによって決定された前記表示映像の表示位置情報に基づいて、前記入力映像のアスペクト比に応じて前記表示位置調整部を動作させる請求項１に記載の投射型映像表示装置。
【請求項３】
前記表示領域における前記表示映像の大きさを縮小する映像縮小部をさらに備え、
前記投射映像制御部は、前記投射レンズのシフト量と前記入力映像のアスペクト比とによって決定された前記表示映像の縮小率情報に基づいて、前記入力映像のアスペクト比に応じて前記映像縮小部を動作させる請求項２に記載の投射型映像表示装置。
【請求項４】
前記入力映像のアスペクト比を自動的に検出するアスペクト比検出部をさらに備えた請求項１〜３のいずれか１項に記載の投射型映像表示装置。
【手続補正２】
【補正対象書類名】明細書
【補正対象項目名】全文
【補正方法】変更
【補正の内容】
【発明の詳細な説明】
【技術分野】
【０００１】
本発明は、液晶プロジェクタなどの投射型映像表示装置に関し、特にアスペクト比の異なる複数種類の入力映像をスクリーン上に適正に表示することができる投射型映像表示装置に関する。
【背景技術】
【０００２】
液晶プロジェクタなどの投射型映像表示装置には、映像信号によって、アスペクト比が異なる複数種類の入力映像が、表示されるべき映像として入力される。アスペクト比とは、表示される映像や映像信号での縦横比、または、表示素子やディスプレイ端末での表示画面の縦横比であり、以下本明細書では、アスペクト比として、映像の信号または表示素子における表示領域の縦横比を「長辺（横）：短辺（縦）」として表示することとする。
【０００３】
たとえば、現行のＴＶ放送の映像や一般のパーソナルコンピュータの映像では、アスペクト比は４：３であり、ハイビジョン放送などの高品位映像のアスペクト比は１６：９、シネマスコープ映画映像のアスペクト比は２．３５：１となっている。
【０００４】
一方、投射型映像表示装置において、投射される光学像を形成するライトバルブとして用いられる液晶パネルなどの表示素子は、表示映像を表示することができる領域としての表示領域を有している。当然のことながら、表示領域のアスペクト比は、入力映像のアスペクト比にかかわらず、それぞれの素子ごとに物理的に一定である。
【０００５】
ところで、容易に大画面を実現することができるため、近年、家族で映画等を楽しめるホームシアター用として液晶プロジェクタが使用されるケースが増えている。このような液晶プロジェクタの表示素子である液晶パネルとしては、高品位映像に対応した１６：９のアスペクト比の表示領域を持つものを用いるのが一般的である。また、液晶プロジェクタから投射された投射映像を表示するスクリーンは、映像品質を確保するために壁面に固定して設置されることが好ましい。そして、この場合に使用されるスクリーンは、ホームシアター用として投射される映像の中で最も横長のアスペクト比である、シネマスコープ映画映像のアスペクト比、２．３５：１のものが用いられることが多い。
【０００６】
このようなことから、特定の、例えば２．３５：１のアスペクト比を有するスクリーン上に、アスペクト比の異なる複数種類の投射映像を、適正に、すなわち、投射映像がスクリーンからはみだすことなく、かつ、スクリーンを最大限に活用した大きな投射映像が得られるように表示することが望まれている。
【０００７】
そして、このような課題を解決する一つの方法として、入力映像を、その本来のアスペクト比から液晶パネルの表示領域のアスペクト比に合うように電気的に圧縮または拡大変換して、液晶パネルの表示領域を最大限活用して映像を表示し、これをアナモルフィックレンズで光学的に入力映像の本来のアスペクト比に戻し、スクリーンへ投射するという技術が知られている（特許文献１参照）。
【０００８】
このアナモルフィックレンズを使った、従来の液晶プロジェクタでの投射方法について、図１２を用いて説明する。
【０００９】
図１２は、従来の液晶プロジェクタで、アスペクト比の異なる三種類の入力映像が、液晶パネルとスクリーン上で、それぞれどのように表示されるかを示した図である。なお、ここでは、液晶パネルの表示領域５１のアスペクト比が１６：９、スクリーン５２のアスペクト比が２．３５：１である場合について説明する。
【００１０】
図１２（ａ）は、映像信号が通常のＴＶ放送信号であり、映像信号における入力映像のアスペクト比が４：３の入力映像ａ１である場合である。この場合には、液晶パネルの表示領域５１のアスペクト比１６：９となるように、入力映像が電気的に横方向に拡大されて、液晶パネル上で表示映像ａ２として表示される。そして、この表示映像ａ２がアナモルフィックレンズによって縦方向に光学的に拡大変換されて、スクリーン５２上では投射映像ａ３で示すように本来のアスペクト比４：３の映像として表示される。このとき、スクリーン５２の左右両側は、非投射領域５３となる。
【００１１】
図１２（ｂ）は、映像信号がハイビジョン放送の信号であり、映像信号における入力映像のアスペクト比が１６：９の入力映像ｂ１の場合である。この場合には、液晶パネルの表示領域５１のアスペクト比と、入力映像ｂ１のアスペクト比が同じであり、入力映像ｂ１の縦横比のまま液晶パネルの表示領域５１に表示映像ｂ２として表示される。そして、この表示映像ｂ２がアナモルフィックレンズによって縦方向に光学的に拡大変換されて、スクリーン５２上では、投射映像ｂ３で示すように本来のアスペクト比１６：９の映像として表示される。このときも、スクリーン５２の左右両側は、非投射領域５３となる。
【００１２】
図１２（ｃ）は、映像信号における映像がシネマスコープ映画映像のアスペクト比２．３５：１の入力映像ｃ１の場合である。この場合には、液晶パネルの表示領域５１のアスペクト比１６：９となるように、入力映像ｃ１は電気的に横方向に縮小されて、液晶パネル上で表示映像ｃ２として表示される。そして、この表示映像ｃ２がアナモルフィックレンズによって横方向に光学的に拡大復調されてスクリーン５２に投射され、スクリーン５２上では投射映像ｃ３で示すように本来のアスペクト比２．３５：１の映像として表示される。
【００１３】
このように、アナモルフィックレンズを使った、従来の液晶プロジェクタでは、異なるアスペクト比の入力映像であっても、液晶パネルの表示領域を全部使って表示映像を表示することになるため、光源であるランプの光を最大限に利用することができ、明るく、高品質の投射映像を得ることができる。また、この従来の液晶プロジェクタでの投射方法によれば、アスペクト比の異なる入力映像を切り替えて投射するにあたって、入力映像の切り替え時に投射レンズの位置調整を行う必要がないため、液晶プロジェクタの投射レンズの設定は、液晶プロジェクタを設置するときに１度だけ行えばよいという利点もある。
【先行技術文献】
【特許文献】
【００１４】
【特許文献１】特開２００５−７２８８７号公報
【発明の概要】
【発明が解決しようとする課題】
【００１５】
しかしながら、円筒状の曲面を有するアナモルフィックレンズは高価であるため、一般家庭のホームシアター用としての液晶プロジェクタに用いた場合には、装置が高価となってその普及が阻害される要因の一つとなっている。
【００１６】
一方で、アナモルフィックレンズを用いない場合には、入力映像のアスペクト比が異なると、スクリーン上の投射映像の大きさが一定とならないため、入力映像のアスペクト比が変わるたびに投射レンズを調整しなくてはならず、また、投射光の光軸と、スクリーン面とが垂直にならない場合には、投射された映像がスクリーンからはみ出してしまうという問題が生じる。以下、図面を用いてこの課題について説明する。
【００１７】
図１３は、アナモルフィックレンズを用いない場合に、アスペクト比の異なる入力映像が、液晶パネルおよびスクリーンでどのように表示されるかを示した図である。なお、図１２と同様に、図１３においても、液晶パネルの表示領域５１のアスペクト比を１６：９、スクリーン５２のアスペクト比を２．３５：１としている。
【００１８】
図１３（ａ）は、入力信号がハイビジョン映像信号である場合であり、入力映像ｄ１のアスペクト比は１６：９である。この場合、液晶パネルの表示領域５１も同じアスペクト比であるため、入力映像は、そのまま液晶パネルの表示領域５１の全域に表示映像ｄ２として表示される。そして、スクリーン５２には、スクリーン５２の縦横比がより横長である分、その左右両側を非表示領域５３として投射映像ｄ３のように表示される。このとき、液晶プロジェクタとスクリーン５２との距離に応じて、ズームレンズによって、投射映像ｄ３の縦方向がスクリーン５２の縦方向いっぱいに表示されるよう調整し、さらにフォーカスレンズを微調整してスクリーン５２上に正しく焦点を合わせる。
【００１９】
このような状態において、映像信号が図１３（ｂ）のシネマスコープ映画映像に変わった場合には、入力映像ｅ１のアスペクト比が表示領域５１のアスペクト比よりも横長の２．３５：１であるため、液晶パネルの表示領域５１には、上下に不使用領域５４を残した表示映像ｅ２として表示される。スクリーン５２には、その前に投射していたハイビジョン映像ｄ１と同じ倍率で投射されるために、非投射領域５３を周囲に残した、スクリーン５２の全面を使用しない小さな投射映像ｅ３として表示される。このため、スクリーン５２いっぱいに、適切な投射映像ｅ４として映像表示させることができるよう、ズームレンズを再調整して投射倍率を変更し、かつ、フォーカスレンズも微調整して焦点を合わせ直す必要がある。
【００２０】
このように、映像信号における投射されるべき映像のアスペクト比が異なるたびに、ズーム作業と合焦作業とが必要となり、操作の煩雑さが発生する。なお、以下この課題を、本明細書では、第１の課題と称する。
【００２１】
また、液晶プロジェクタなどの投射型映像表示装置では、本来、投射光の光軸である投射光軸がスクリーン面と垂直となるように、装置本体とスクリーンとを設置することが好ましい。投射光軸がスクリーンに対して垂直である場合、すなわち、垂直に設置されたスクリーンに対して投射光軸が水平である場合には、ゆがみがなく良質な投射映像が得られるからである。しかし、家庭用の液晶プロジェクタの場合には、省スペースと美観を保つとの観点から、壁面に設置されたスクリーンに対し、プロジェクタ装置本体を天井に設置して、スクリーン面に対して投射光軸が斜めに入射する状態で、映像を投射表示することが一般的である。そして、このように、スクリーン面と投射光軸が垂直に交わらない場合には、スクリーン上で正しく映像を表示するために、投射レンズを本来の投射光軸に対して垂直な方向に移動させるレンズシフトが行われている。レンズシフトをすることで、投射光が投射レンズの中心からずれて投射されることになり、投射軸が屈曲して、スクリーンに投射される映像をゆがみなく、上下もしくは左右方向にずらすことができる。
【００２２】
このレンズシフト機能を用いた場合には、投射光軸と投射レンズの中心とがずれているために、特に、水平方向を０°とした投射角度が大きい場合、例えば、天井が高く部屋が狭い場合などには、投射映像の倍率を調整するズーム調整時に、投射映像の中心が移動し、スクリーンの中心からずれてしまう。このため、上記図１３で説明したような、入力映像のアスペクト比が変化したために、投射倍率の修正をズームレンズで行った場合には、図１４に示すように、投射映像ｆ１が、スクリーン５２外にはみ出してしまうという問題が生じる。以下この課題を、第２の課題と称する。
【００２３】
本発明は、上記の課題を解決するためになされたもので、アナモルフィックレンズを用いない安価な装置構成にも関わらず、アスペクト比の異なる複数種類の入力映像を、煩雑な調整作業を必要とせずに表示することができる投射型映像表示装置を提供することを目的とする。
【課題を解決するための手段】
【００２４】
上記課題を解決するために、本発明の投射型映像表示装置は、光源と、映像信号に基づいて表示領域に表示映像を表示し、前記表示映像によって前記光源からの照射光を変調して光学像を形成する表示素子と、ズームレンズおよびフォーカスレンズを含み、前記光学像をスクリーンに投射する投射レンズと、前記ズームレンズの位置と前記フォーカスレンズの位置とを調整するレンズ駆動部と、前記スクリーンに投射される投射映像を制御する投射映像制御部とを備え、前記投射映像制御部は、前記映像信号における入力映像のアスペクト比によって決定された、前記ズームレンズのレンズ位置情報と前記フォーカスレンズのレンズ位置情報とに基づいて、前記入力映像のアスペクト比に応じて前記レンズ駆動部を駆動することを特徴とする。
【発明の効果】
【００２５】
本発明によれば、アスペクト比の異なる複数種の入力映像に対して、煩雑な調整作業を必要とせずに、スクリーン上に適正な投射映像を自動で投射することができる投射型映像表示装置を安価に提供することができる。
【図面の簡単な説明】
【００２６】
【図１】図１は、本発明の第１の実施形態にかかる液晶プロジェクタの設置の一例を示す図である。
【図２】図２は、本発明の第１の実施形態にかかる液晶プロジェクタの、光学的構成と電気回路構成とを示すブロック図である。
【図３】図３は、本発明の第１の実施形態にかかる液晶プロジェクタでの、投射レンズの位置調整の動作を示すフローチャートである。
【図４】図４は、本発明の第２の実施形態にかかる液晶プロジェクタの、光学的構成と電気回路構成とを示すブロック図である。
【図５】図５は、本発明の第２の実施形態にかかる液晶プロジェクタでの、液晶パネルの表示領域における表示位置調整の動作を示すフローチャートである。
【図６】図６は、図５で示した表示位置調整前の表示映像と投射映像との状態を示す図である。図６(ａ)は、液晶パネルの表示領域での表示映像の状態を示し、図６(ｂ)は、スクリーン上の投射映像の状態を示す。
【図７】図７は、図５で示した表示位置調整後の表示映像と投射映像との状態を示す図である。図７(ａ)は、液晶パネルの表示領域での表示映像の状態を示し、図７(ｂ)は、スクリーン上の投射映像の状態を示す。
【図８】図８は、本発明の第３の実施形態にかかる液晶プロジェクタの、光学的構成と電気回路構成とを示すブロック図である。
【図９】図９は、本発明の第３の実施形態にかかる液晶プロジェクタでの、液晶パネルの表示領域における表示映像の縮小と表示位置を調整する動作を示すフローチャートである。
【図１０】図１０は、図９で示した表示映像の縮小調整をする前の表示映像と投射映像との状態を示す図である。図１０(ａ)は、液晶パネルの表示領域での表示映像の状態を示し、図１０(ｂ)は、スクリーン上の投射映像の状態を示す。
【図１１】図１１は、図９で示した表示映像の縮小調整を行った後の表示映像と投射映像との状態を示す図である。図１１(ａ)および図１１(ｃ)は、液晶パネルの表示領域での表示映像の状態を示し、図１１(ｂ)および図１１(ｄ)および図１１（ｅ）は、いずれもスクリーン上の投射映像の状態を示す。
【図１２】図１２は、アナモフィックレンズを用いた従来の液晶プロジェクタでの入力映像と、表示映像と、投射映像との状態を示す図である。図１２（ａ）は、入力映像のアスペクト比が４：３の場合を示し、図１２（ｂ）は、入力映像のアスペクト比が１６：９の場合を示し、図１２（ｃ）は、入力映像のアスペクト比が２．３５：１の場合を示す。
【図１３】図１３は、アナモフィックレンズを用いない従来の液晶プロジェクタでの入力映像と、表示映像と、投射映像との状態を示す図である。図１３（ａ）は、入力映像のアスペクト比が１６：９の場合を示し、図１３（ｂ）は、入力映像のアスペクト比が２．３５：１の場合を示す。
【図１４】図１４は、従来の液晶プロジェクタでの投射映像がスクリーンからはみ出した状態を示す図である。
【発明を実施するための形態】
【００２７】
本発明の投射型映像表示装置は、光源と、映像信号に基づいて表示領域に表示映像を表示し、前記表示映像によって前記光源からの照射光を変調して光学像を形成する表示素子と、ズームレンズおよびフォーカスレンズを含み、前記光学像をスクリーンに投射する投射レンズと、前記ズームレンズの位置と前記フォーカスレンズの位置とを調整するレンズ駆動部と、前記スクリーンに投射される投射映像を制御する投射映像制御部とを備え、前記投射映像制御部は、前記映像信号における入力映像のアスペクト比によって決定された、前記ズームレンズのレンズ位置情報と前記フォーカスレンズのレンズ位置情報とに基づいて、前記入力映像のアスペクト比に応じて前記レンズ駆動部を駆動する。
【００２８】
このような構成を有することで、本発明の投射型映像表示装置では、映像信号が切り替わって入力映像のアスペクト比が異なるものとなった場合でも、入力映像のアスペクト比に応じたズームレンズのレンズ位置情報とフォーカスレンズのレンズ位置情報とによって、レンズ駆動部が駆動して、ズームレンズとフォーカスレンズをそのアスペクト比の映像を投射するに適した位置とすることができる。このため、高価なアナモルフィックレンズを用いなくても、複数種類のアスペクト比を有する入力映像をスクリーンいっぱいに、しっかりと合焦した状態で投射することができる。
【００２９】
上記投射型映像表示装置の構成において、前記投射レンズを、投射光軸に対して垂直な方向へシフトさせるレンズシフト部駆動部と、前記表示領域における前記表示映像の表示位置を変更する表示位置調整部とをさらに備え、前記投射映像制御部は、前記投射レンズのシフト量と前記入力映像のアスペクト比とによって決定された前記表示映像の表示位置情報に基づいて、前記入力映像のアスペクト比に応じて前記表示位置調整部を動作させることが好ましい。このようにすることで、レンズシフトが行われている場合でも、アスペクト比が異なる投射映像がスクリーンからはみ出した状態で投射されることを、効果的に防止することができる。
【００３０】
また、前記表示領域における前記表示映像の大きさを縮小する映像縮小部をさらに備え、前記投射映像制御部は、前記投射レンズのシフト量と前記入力映像のアスペクト比とによって決定された前記表示映像の縮小率情報に基づいて、前記入力映像のアスペクト比に応じて前記映像縮小部を動作させることが好ましい。このようにすることで、シフト量が大きい場合でも、複数種類のアスペクト比を有する投射映像を、スクリーンからはみ出すことなく、正確にスクリーン上に投射することができる。
【００３１】
さらに、前記入力映像のアスペクト比を自動的に検出するアスペクト比検出部をさらに備えることが好ましい。このようにすることで、使用者が入力映像のアスペクト比を設定する必要が無くなり、使用者に、より煩わしさを感じさせることなく、複数種類のアスペクト比の入力映像をスクリーンに適切に投射することができる。
【００３２】
以下、本発明の実施の形態として、本発明の投射型映像表示装置を家庭用の液晶プロジェクタとして用いた場合について、図面を参照しながら説明する。
【００３３】
（第１の実施形態）
図１は、本発明の第１の実施形態にかかる液晶プロジェクタ１の設置状態の一例を示す図である。
【００３４】
図１に示すように、本実施形態の液晶プロジェクタ１は、居室の天井４に設置固定され、居室の一つの壁面５に設置されたスクリーン２に投射映像３を投射する。なお、本実施形態においてスクリーン２のアスペクト比は、シネマスコープ映画映像のアスペクト比である２．３５：１となっている。
【００３５】
次に、図２は、本実施形態にかかる液晶プロジェクタ１の光学的な構成と電気回路の構成とを示す、ブロック構成図である。
【００３６】
図２に示すように、本実施形態にかかる液晶プロジェクタ１は、光源１１、この光源１１から照射された照射光１２が照射される表示素子である液晶パネル１３、液晶パネル１３で形成された光学像１４をスクリーン２に投射する投射レンズ１５を有している。
【００３７】
光源１１としては、周知の水銀ランプ、ハロゲンランプ、ＬＥＤランプなどの高輝度ランプを用いることができる。
【００３８】
液晶パネル１３は、本実施形態の液晶プロジェクタ１では透過型のパネルが用いられていて、図示しない表示領域に照射される光源１１からの照射光１２を変調して光学像１４を形成する。本実施形態の液晶パネル１３の表示領域のアスペクト比は、１６：９となっている。液晶パネル１３としては、例えば投射映像の大きさが６０インチから３００インチ程度である場合、０．５インチから１．２インチ程度の大きさのものを用いることができる。また、液晶パネル１３として、赤色、青色、緑色にそれぞれ対応した３枚を用いて、それぞれの色の投影像を、ダイクロイックミラーを用いて一つのカラー映像に合成することが行われている。
【００３９】
投射レンズ１５は、光学像１４を合焦させるフォーカスレンズ１６と、投射倍率を調整するズームレンズ１７とを少なくとも含んでいる。投射レンズ１５のフォーカスレンズ１６とズームレンズ１７とは、独立にその位置を制御することが可能であり、フォーカスレンズ１６の位置を制御することで、スクリーン２上の投射映像のフォーカスを合わせることができ、ズームレンズ１７の位置を制御することで、投射映像の大きさ、すなわち投射倍率を変更することができる。
【００４０】
また、投射レンズ１５は、後述するレンズシフト部駆動部２５によって、投射光軸、すなわち投射レンズ１５の光軸に対して垂直な方向に所定量シフトすることが可能となっている。投射レンズ１５をシフトすることで、投射光１８の向きを図２中に示す矢印１９の方向に角度θだけ曲げることができる。
【００４１】
次に、上記の光学的構成を備える本実施形態の液晶プロジェクタ１の電気回路構成を説明する。なお、図２において、液晶プロジェクタ１の電気回路の各構成部分をブロック図として示すが、これは所定の機能を果たす回路構成を一つのブロックとして捉えて表したものに過ぎない。したがって、本実施形態の液晶プロジェクタ１が、図２に示すような、それぞれのブロックに対応した回路基板等の物理的な構成要素を有することを示すものではない。
【００４２】
図２に示すように、本実施形態の液晶プロジェクタ１は、表示素子である液晶パネル１３に表示映像を表示する液晶パネル駆動部２１と、フォーカスレンズ１６の位置を調整するフォーカスレンズ駆動部２２およびズームレンズ１７の位置を調整するズームレンズ駆動部２３とを備えたレンズ駆動部２４、投射レンズ１５を投射光１８の光軸に対して垂直方向にシフトするためのレンズシフト部駆動部２５、スクリーン２上での投射映像の位置と大きさとを制御する投射映像制御部３１、映像信号における入力映像のアスペクト比を選択するアスペクト比設定部４１を備えている。
【００４３】
液晶パネル駆動部２１は、液晶プロジェクタ１に入力された映像信号に基づいて、液晶パネル１３の図示しない表示領域に表示映像を表示する。より具体的には、映像信号に基づいて、液晶パネル１３に形成された図示しない表示電極から所定の信号を入力し、同じく図示しない表示領域の表示画素の液晶分子の配向状態を制御して、映像信号における入力映像を表示映像として表示領域の所定の位置に表示させる。なお、液晶パネル１３の構造や、その駆動方法などは従来周知のものと同様であるため、詳細な説明は省略する。
【００４４】
フォーカスレンズ駆動部２２は、フォーカスレンズ１６の位置を調整してスクリーン２上の投射映像のフォーカスを調整する。具体的には、フォーカスレンズ駆動部２２は、フォーカスレンズ１６を投射光１８の本来の光軸と平行な方向、すなわち図２における左右方向に移動させためのステッピングモータなどの駆動機構として実現できる。フォーカスレンズ駆動部２２は、液晶プロジェクタ１の使用者が、手動で操作することも可能なように構成されている。また、フォーカスレンズ１６の位置を検知して、後述するフォーカスレンズ位置記憶部３２にフォーカスレンズ位置情報を出力する機能を有している。
【００４５】
ズームレンズ駆動部２３は、ズームレンズ１７の位置を調整してスクリーン２上での投射映像の大きさを変化させる。ズームレンズ駆動部２３も、フォーカスレンズ駆動部２２と同様に、ズームレンズ１７を投射光１８の本来の光軸と平行な方向、図２における左右方向に移動させためのステッピングモータなどの駆動機構として実現することができる。使用者が手動で操作できる構成である点や、ズームレンズ１７の位置を検知して、その位置情報をズームレンズ位置記憶部３３に出力できる点も、フォーカスレンズ駆動部２２と同様である。
【００４６】
これらのフォーカスレンズ駆動部２２とズームレンズ駆動部２３とが、レンズ駆動部２４を構成している。
【００４７】
上記したように、本実施形態の液晶プロジェクタ１には、投射レンズ１５から投射された投射光１８をスクリーン２の方向に向けるとともに、スクリーン２に斜めに入射する投射光１８での投射映像の台形ひずみなどを補正するために、投射レンズ１５を、本来の投射光軸に対して垂直方向、すなわち、図２における上下方向にシフトさせるレンズシフト部駆動部２５を有している。レンズシフト部駆動部２５が行うレンズシフト量が大きいほど、曲げられた投射光１８と水平軸とのなす角度θが大きくなる。
【００４８】
このレンズシフト部駆動部２５は、通常液晶プロジェクタ１を設置する初期設定の段階で調整され、以後は使用しない。特に、図１に示したように、液晶プロジェクタ１を天井４に設置固定し、壁面５に設置固定されたスクリーン２に投射映像を投射する場合には、液晶プロジェクタ１とスクリーン２がともに固定されているために、一旦適切な調整を行えば、その後にレンズシフト部駆動部２５を使用する必要はない。
【００４９】
なお、前述のように本実施形態の液晶プロジェクタ１は天井４に設置されており、スクリーン２が壁面５に設置されており、投射光１８をスクリーン２に垂直に入射させることができないために、レンズシフト部駆動部２５を使用して投射光の向きを変える調整を行ったが、スクリーン２に対してほぼ垂直に投射光１８を入射させることができる位置に液晶プロジェクタ１が位置する場合には、レンズシフト部駆動部２５は必ずしも必要ではない。したがって、本実施形態の液晶プロジェクタ１において、レンズシフト部駆動部２５は、必須の構成要素ではない。また、レンズシフト部駆動部２５によってレンズシフトを行った場合に生じる課題を解決する手段については、実施の形態２および３として後述する。
【００５０】
本実施形態の液晶プロジェクタ１は、その回路構成として投射映像制御部３１を有している。投射映像制御部３１は、液晶プロジェクタ１に入力される映像信号における入力映像のアスペクト比に対応してあらかじめ決定された、フォーカスレンズ１６の位置情報とズームレンズ１７の位置情報とに基づいて、映像信号における入力映像のアスペクト比が異なるものに変更された場合に、そのアスペクト比の入力映像を最適な状態でスクリーン２に投射することができるように、レンズ駆動部２４を制御する。
【００５１】
本実施形態の投射映像制御部３１は、図２に示すようにフォーカスレンズ位置記憶部３２と、ズームレンズ位置記憶部３３とを有している。また投射映像制御部３１は、レンズ駆動部２４を制御可能な、いずれも図示しないＣＰＵとＲＡＭやＲＯＭが共働する、ＣＰＵに入力されたプログラムの形態として実現することができる。
【００５２】
フォーカスレンズ位置記憶部３２にはフォーカスレンズの投射光軸方向の位置が、また、ズームレンズ位置記憶部３３にはズームレンズの投射光軸方向の位置が、それぞれのレンズの位置情報として記憶される。この位置情報は、フォーカスレンズ１６やズームレンズ１７の位置が移動するたびに最新のものに更新される情報であり、具体的にはフォーカスレンズ駆動部２２およびズームレンズ駆動部２３の、ステッピングモータの回転数などとして得ることができる。また、液晶プロジェクタ１の初期状態、すなわち、一般的には工場出荷段階では、フォーカスレンズ位置記憶部３２とズームレンズ位置記憶部３３には、あらかじめ、スクリーン２と液晶プロジェクタ１との間の標準的な距離を想定した、入力映像のアスペクト比ごとのズームレンズ１６とフォーカスレンズ１７のレンズ位置情報が記憶されている。
【００５３】
アスペクト比設定部４１は、液晶プロジェクタ１の使用者が、投射される映像のアスペクト比を選択するための操作部である。アスペクト比設定部４１は、例えば、テレビ放送、パソコン画面、ハイビジョン映像、シネマスコープ映画映像、字幕付きシネマと表示された操作釦として実現することができ、使用者が投射したい映像の種類を選択することで、その入力映像のアスペクト比情報が、投射映像制御部３１に伝達される。
【００５４】
次に、図３を用いて、本実施形態の液晶プロジェクタ１における、投射レンズ１５の位置を最適化する動作について説明する。
【００５５】
図３は、本実施形態の液晶プロジェクタ１において、映像信号における入力映像のアスペクト比ごとに、フォーカスレンズ１６とズームレンズ１７との、それぞれのレンズ位置情報を設定、記憶させる作業の流れを示すフローチャートである。
【００５６】
まず、ステップＳ１において、装置の使用者は、アスペクト比設定部４１を操作して入力映像のアスペクト比を選択、設定する。
【００５７】
次に、ステップＳ２おいて、投射映像制御部３１は、フォーカスレンズ位置記憶部３２から選択されたアスペクト比におけるフォーカスレンズ１６の位置情報を、また、ズームレンズ位置記憶部３３から同じく選択されたアスペクト比におけるズームレンズ１７の位置情報を、それぞれ抽出する。なお、上記したように、液晶プロジェクタ１の初期状態では、スクリーン２と液晶プロジェクタ１との間の標準的な距離を想定した、入力映像のアスペクト比ごとのズームレンズ１６とフォーカスレンズ１７の位置情報が記憶されている。
【００５８】
次に、ステップＳ３において、ステップＳ２において抽出されたレンズ位置情報に基づいて、まずズームレンズ１７を所定の位置に、ついでフォーカスレンズ１６を所定の位置に移動させる。このステップＳ３の段階で、投射映像がスクリーン２に適正に表示され、かつ焦点が適正であれば、フォーカスレンズ位置記憶部３２およびズームレンズ位置記憶部３３に記憶されたレンズ位置情報は更新されない。しかし、多くの場合は適正な表示が行われないので、使用者は、フォーカスレンズ１６とズームレンズ１７の位置を、スクリーン２に実際に投射された投射映像を見ながら調整する。
【００５９】
このとき、投射映像制御部３１は、ズームレンズ駆動部２３とフォーカスレンズ駆動部２２を介してそれぞれのレンズ位置を監視しており、ステップＳ４においてレンズの移動を検知すると、次のステップＳ５において移動が停止した状態でのレンズ位置情報を検出する。なお、レンズの移動が停止したか否かは、所定時間、例えば５秒間レンズ位置が変化しない場合に、その位置でレンズが停止したと判断させることができ、この停止位置を新たなレンズ位置情報とする。
【００６０】
そして、検出されたレンズの新たなレンズ位置情報は、ステップＳ６において、フォーカスレンズ位置記憶部３２およびズームレンズ位置記憶部３３に、あらかじめ記憶された情報に上書きして更新される。
【００６１】
一方で、ステップＳ４で、レンズの移動が検出されない場合には、フォーカスレンズ位置記憶部３２およびズームレンズ位置記憶部３３に蓄えられていたそれぞれのレンズの位置情報が、引き続き正しいレンズ位置情報であると判断することができる。
【００６２】
なお、ステップＳ６以降にもレンズの移動は常に監視されていて、レンズの移動があれば、新しいレンズ位置情報の更新を行う。
【００６３】
このようにして、一つの入力映像のアスペクト比について、レンズ位置情報を記憶させる動作が完了すると、アスペクト比の異なる入力映像ごとに同じ操作が繰り返し行われる。
【００６４】
そして、全てのアスペクト比の入力映像について、レンズ位置を記憶させる動作が終了すると、以降は、装置の使用者が、アスペクト比設定部４１から入力映像のアスペクト比を選択設定するだけで、投射映像制御部３１が、記憶されたレンズ位置情報に基づいて投射レンズ１５を移動させ、フォーカスレンズ１６とズームレンズ１７との位置を最適な投射映像が得られる状態にする。このため使用者は、入力映像のアスペクト比を選択するだけでよく、従来の投射型映像表示装置が有していた、映像信号における入力映像のアスペクト比が異なるたびにズーム作業と合焦作業というレンズ操作が必要であり、操作の煩雑さが生ずるという、第１の課題が解消されることになる。
【００６５】
（第２の実施形態）
次に、本発明の投射型映像表示装置の第２の実施形態として、投射レンズを投射光の光軸に対して垂直方向にシフトした場合に生じる、投射映像がスクリーンからずれてしまうという第２の課題を効果的に防止できる液晶プロジェクタについて説明する。
【００６６】
図４は、本発明の第２の実施形態である液晶プロジェクタ１００の、光学的な構成と電気回路の構成とを示すブロック構成図である。なお、図４においても図２と同様、ブロックとして示す液晶プロジェクタ１００の電気回路の各構成部分は、所定の機能を果たす回路構成を一つのブロックとして捉えて表したものに過ぎず、本実施形態の液晶プロジェクタ１００が、図４に示すような、それぞれのブロックに対応した回路基板等の物理的な構成要素を有することを示すものではない。
【００６７】
図４に示すように、第２の実施形態に係る液晶プロジェクタ１００は、図２を用いて説明した第１の実施形態にかかる液晶プロジェクタ１と同じ光学的構成を有している。
【００６８】
また、回路構成においては、第２の実施形態に係る液晶プロジェクタ１００は、投射映像制御部３１に制御される表示位置調整部２６を備えていて、映像信号が表示位置調整部２６を介して液晶パネル駆動部２１に入力される点と、投射映像制御部３１が表示位置記憶部３４を備えている点、さらに、使用者が操作する位置調整釦４２を備えている点が、第１の実施形態にかかる液晶プロジェクタ１と異なっている。なお、第２の実施形態にかかる液晶プロジェクタ１００では、レンズシフト部駆動部２５が必須の構成要件となっている点も、上記の第１の実施形態にかかる液晶プロジェクタ１と異なる。このため、以下では、第２の実施形態にかかる液晶プロジェクタ１００に特有の部分を中心に説明し、第１の実施形態にかかる液晶プロジェクタ１と共通する部分の説明は省略する。
【００６９】
図４に示す、第２の実施形態にかかる液晶プロジェクタ１００は、表示位置調整部２６を備えている。この表示位置調整部２６は、表示素子である液晶パネル１３の表示領域における、表示映像の表示位置を変更調整するものである。本実施形態の液晶プロジェクタ１００の表示素子である液晶パネル１３は、１６：９のアスペクト比の表示領域、すなわち、表示映像を表示することができる表示可能領域を有している。ここで、映像信号における入力映像のアスペクト比が１６：９の場合には、表示映像を表示可能な表示領域のアスペクト比と同じであるため、表示映像を表示領域いっぱいに表示することとなる。しかし、入力映像のアスペクト比が１６：９ではない場合には、表示領域と表示映像とのアスペクト比が異なり、表示領域の上下または左右に表示映像が表示されない非表示領域が生じるため、表示映像を表示領域の中心以外の領域に表示することが可能となる。表示位置調整部２６は、液晶パネル駆動部２１に入力される映像信号を調整して、液晶パネル１３の表示領域の中心以外の部分に表示映像を表示させるものである。
【００７０】
本実施形態の液晶プロジェクタ１００の表示位置記憶部３４は、表示位置調整部２６からの信号を受け取り、表示位置調整部２６が液晶パネル１３の表示領域におけるどの位置に表示映像を表示するように調整したかの表示位置情報を記憶する。
【００７１】
また、本実施形態の液晶プロジェクタ１００では、投射映像制御部３１は、使用者による位置調整釦４２の操作を受けて、表示位置調整部２６を制御して表示領域での表示位置を変更調整するとともに、表示位置記憶部３４から表示位置情報を取得し、この表示位置情報に基づいて表示位置調整部２６を制御して、液晶パネル１３の表示領域における表示映像の表示位置を調整する機能を有している。
【００７２】
位置調整釦４２は、投射映像制御部３１を介して、表示位置調整部２６に所定の信号を与えて、使用者が液晶パネル１３の表示領域における表示映像の表示位置を調整することを可能にする釦であり、回転式またはプッシュ式などの釦である。
【００７３】
次に、本実施形態の液晶プロジェクタ１００における表示位置の調整動作について、図５〜図７を用いて具体的に説明する。
【００７４】
図５は、本実施形態の液晶プロジェクタ１００において、異なるアスペクト比の入力映像をスクリーン２上に投射したときに、投射映像のはみ出しが生じた場合の表示位置調整の操作を示すフローチャートである。
【００７５】
まず、ステップＳ１１において、液晶プロジェクタ１００の使用者がアスペクト比設定部４１を操作して、入力映像のアスペクト比をハイビジョン映像のアスペクト比である１６：９に選択した場合を想定する。このとき、使用者は、図３を用いて実施の形態１で説明したフォーカスレンズ１６とズームレンズ１７とのレンズ位置情報を設定、記憶させる手順に則り、レンズ駆動部２４を制御してフォーカスレンズ１６とズームレンズ１７のレンズ位置を調整し、投射映像３がスクリーン２上に適正に投射されるように調整する。
【００７６】
次に、ステップＳ１２おいて、入力映像のアスペクト比をシネマスコープ映画映像のアスペクト比２．３５：１として、図３で示した手順に則ってフォーカスレンズ１６とズームレンズ１７のレンズ位置を調整する。このとき、レンズシフト駆動部２５によって、大きなレンズシフト量が与えられ、投射光１８の投射方向１９が水平軸より大きく曲げられた場合、すなわち角度θが大きい場合には、投射映像３がスクリーン２からはみだす現象が発生する。この状態をステップＳ１３とする。
【００７７】
このときのスクリーン２の状態を示したものが、図６(ｂ)である。投射映像３は、左右方向はスクリーン２の横幅いっぱいに正しく投射されているが、上下方向は、スクリーン２に対して下方向にずれた位置に投射されていて、投射映像３の下部の部分がスクリーン２の外にはみ出している。このはみ出しが起きた状態では、図６(ａ)に示すように、液晶パネル１３の表示領域６の中心部と表示映像７の中心部は、一致して表示されている。表示映像７のアスペクト比が、表示領域６のアスペクト比より横長であるため、表示領域６の上下部分に、表示映像が表示されていない非表示領域８が生じている。
【００７８】
図５に戻って、次のステップＳ１４で、使用者が位置調整釦４２を操作して、スクリーン２を見ながら、図７（ｂ）に示すように、投射映像３とスクリーン２とが一致するように表示位置を調整する。
【００７９】
図７(ａ)は、図７(ｂ)に示した、位置調整釦４２の操作によってスクリーン２と投射映像３とが一致した状態での、表示領域６における表示映像７の表示位置を示したものである。図７（ａ）に示すように、表示映像７は、表示領域６の図中上方に偏った状態で表示され、表示映像７の上方の非表示領域８が、表示映像７の下方の非表示領域８よりも小さくなっている。
【００８０】
次に、図５に戻って、ステップＳ１５において、表示領域６における表示映像７の表示位置情報が、シネマスコープ映画映像のアスペクト比２．３５：１と関連づけられて、表示位置記憶部３４に記憶される。
【００８１】
以下、アスペクト比設定部４１でシネマスコープ映画映像が設定された場合には、投射映像制御部３１は、表示位置記憶部３４に記憶された液晶パネル４の表示領域６での表示映像７の表示位置情報を取得し、投射レンズ１５の位置補正を行うと同時に、表示位置の調整を自動的に行う。このため、使用者が位置調整釦４２を操作しなくても、投射映像３がスクリーン２に正しく投射されることとなる。
【００８２】
このように、レンズシフト部駆動部２５で投射レンズ１５が投射光軸に対して垂直な方向にシフトされている場合には、表示映像７を表示領域６の中心に位置させたままでは、投射映像３がスクリーン２からはみ出してしまうという、第２の課題が生じる場合があるが、本実施形態の液晶プロジェクタ１００では、この第２の課題を解消し使用者が煩雑な処理をすることなく、異なるアスペクト比の投射映像３を的確にスクリーン２上に投射することができる。
【００８３】
（第３の実施形態）
次に、本発明の投射型映像表示装置の第３の実施形態として、投射レンズを投射光の光軸に対して垂直方向にシフトするシフト量が大きい場合に生じる、投射映像がスクリーンから大きくずれてしまうという問題点を効果的に防止できる液晶プロジェクタについて説明する。
【００８４】
図８は、本発明の第３の実施形態である液晶プロジェクタ２００の、光学的な構成と電気回路の構成とを示すブロック構成図である。なお、図８においても図２や図４と同様、ブロックとして示す液晶プロジェクタ２００が、図８に示すような、それぞれのブロックに対応した回路基板等の物理的な構成要素を有することを示すものではない。
【００８５】
図８に示すように、第３の実施形態に係る液晶プロジェクタ２００は、図４を用いて説明した第２の実施形態にかかる液晶プロジェクタ１００と同じ光学的構成を有している。
【００８６】
また、回路構成においては、第３の実施形態に係る液晶プロジェクタ２００は、投射映像制御部３１に制御される映像縮小部２７を備えていて、映像信号が映像縮小部２７を介してから表示位置調整部２６、さらに、液晶パネル駆動部２６に入力される点と、投射映像制御部３１が映像縮小率記憶部３５を備えている点、さらに、使用者が操作する第２の調整釦である倍率調整釦４３を備えている点が、第２の実施形態にかかる液晶プロジェクタ１００と異なっている。なお、第３の実施形態にかかる液晶プロジェクタ２００においても、レンズシフト部駆動部２５は、必須の構成要件となっている。以下では、第３の実施形態にかかる液晶プロジェクタ２００に特有の部分を中心に説明し、第２の実施形態にかかる液晶プロジェクタ１００と共通する部分の説明は省略する。
【００８７】
図８に示す、第３の実施形態にかかる液晶プロジェクタ２００は、映像縮小部２７を備えている。この映像縮小部２７は、表示素子である液晶パネル１３の表示領域における表示映像の大きさを変化させて、より小さい映像として表示させるものである。このため、映像縮小部２７が動作している状態では、本実施形態の液晶プロジェクタ２００の表示素子である液晶パネル１３は、表示領域の横幅いっぱいには表示映像を表示せず、かつ、実施の形態２で説明した表示位置調整部２６によって、表示映像はその中心が表示領域の中心からずれた状態で表示されることとなる。
【００８８】
また、本実施形態の液晶プロジェクタ２００の映像縮小率記憶部３５は、映像縮小部２７からの信号を受け取り、入力映像のアスペクト比ごとに、映像縮小部２７が液晶パネル１３での表示映像の縮小率をいくらとしたのかという縮小率情報を記憶する。
【００８９】
また、本実施形態の液晶プロジェクタ２００では、投射映像制御部３１は、使用者による倍率調整釦４３の操作を受けて、映像縮小部２７へ表示映像の縮小率を指示するとともに、映像縮小率記憶部３５から縮小率情報を取得し、この縮小率情報に基づいて映像縮小部２７を制御して、液晶パネル１３の表示領域における表示映像の縮小率を調整する機能を有している。
【００９０】
倍率調整釦４３は、投射映像制御部３１を介して映像縮小部２７に所定の信号を与えて、使用者が液晶パネル１３の表示領域における表示映像の表示倍率を調整することを可能にする釦であり、回転式またはプッシュ式などの釦である。
【００９１】
次に、本実施形態の液晶プロジェクタ２００における表示映像の倍率調整と表示位置調整の動作について、図９〜図１１を用いて具体的に説明する。
【００９２】
図９は、本実施形態の液晶プロジェクタ２００において、異なるアスペクト比の入力映像をスクリーン２上に投射したときに、投射映像のはみ出しが生じた場合の表示映像の縮小率と表示位置を調整する操作を示すフローチャートである。
【００９３】
まず、実施形態２の場合と同様、液晶プロジェクタ２００の使用者が、アスペクト比設定部４１を操作して、入力映像のアスペクト比を、ハイビジョン映像の１６：９に選択した場合を想定する。このとき、使用者は、図３のフローチャートで示した動作の流れを用いて、実施の形態１で説明した手順に則り、レンズ駆動部２４を制御してフォーカスレンズ１６とズームレンズ１７のレンズ位置を調整し、投射映像３がスクリーン２上に適正に投射されるように調整する。また、図５のフローチャートで示した動作の流れを用いて表示映像の表示領域における表示位置を調整する。
【００９４】
しかし、レンズシフト部駆動部２５でのシフト量が大きい場合、すなわち、図８に示す投射角度θが極端に大きいときは、図６のステップＳ１４で、図１０（ａ）に示すように、表示映像７の表示位置を表示領域７の上限いっぱいにまで調整しても、図１０（ｂ）に示すように、投射映像３がスクリーン２からはみ出してしまう場合がある。この場合が、図９に示すフローチャートのステップＳ２１である。
【００９５】
このような場合、使用者は、次のステップＳ２２として、倍率調整釦４３を操作して表示領域６での表示映像７の表示倍率を変更し、表示映像７の大きさを縮小する。
【００９６】
このとき、投射映像制御部３１は、倍率調整釦４２の操作に応じて映像縮小部２７において、映像信号における映像入力の大きさを縮小させる。映像縮小部２７では、表示位置調整部２６を介して液晶パネル駆動部２１に入力される映像信号における入力映像自体を縮小するため、液晶パネル１３の表示領域６では、図１１（ａ）に示すように、図１０(ｂ)の場合と比較して、表示映像７の中心位置は一定のまま表示映像７の大きさのみが縮小される。この結果、表示領域６には表示映像７の上側に非表示領域８が生じる。なお、図１１（ｂ）に示すように、スクリーン２上でも投射映像３の倍率が小さくなる。
【００９７】
次に、使用者は、図９のフローチャートにおけるステップＳ２３に示すように、スクリーン２を見ながら、位置調整釦４２を操作して、投射映像制御部３１を介して表示位置調整部２６に指示を与え、図１１（ｃ）に示すように、表示領域６での表示映像７の位置をより上方に移動させる。この結果、投射映像３が上方に移動する。
【００９８】
この操作は、図１１(ｄ)に示すように、スクリーン２の中心と投射映像３の中心とが一致するまで繰り返し行われる。
【００９９】
図１１(ｄ)に示すように、スクリーン２の中心と投射映像３の中心とが一致した場合には、次のステップＳ２４として、使用者は、投射レンズ駆動部２４を操作して、ズームレンズ駆動部２３により、ズームレンズ１７の位置を調整して投射倍率を変換する。また、必要に応じてフォーカスレンズ１６の位置を調整して、スクリーン２上に投射映像３を正しく合焦させる。このようにして、図１１（ｅ）に示すような、スクリーン２からのはみ出しが無く、かつ、スクリーン２いっぱいに表示された投射映像３を得ることができる。
【０１００】
そして、次のステップＳ２５において、投射映像制御部３１は、調整された表示映像の縮小率を、シネマスコープ映画映像のアスペクト比２．３５：１と関連づけて、映像縮小率記憶部３５に記憶させる。合わせて、このときの表示位置情報を表示位置記憶部３４に、また、フォーカスレンズ１６とズームレンズ１７の位置情報を、フォーカスレンズ位置記憶部３２とズームレンズ位置記憶部３３に記憶させる。
【０１０１】
以下、使用者が入力映像のアスペクト比をアスペクト比設定部４１で設定するごとに、投射映像制御部３１は、フォーカスレンズ位置記憶部３２、ズームレンズ位置記憶部３３、表示位置記憶部３４、映像縮小率記憶部３５から、フォーカスレンズ位置情報、ズームレンズ位置情報、表示位置情報、縮小率情報をそれぞれ読み込んで、レンズ駆動部２４、表示位置調整部２６、映像縮小部２７をそれぞれ制御することで、スクリーン２上に適正に投射された投射映像３を得ることができる。
【０１０２】
このように、本実施形態の液晶プロジェクタ２００によれば、例えばプロジェクタ本体とスクリーン２との位置が近く、レンズシフト部駆動部２５により投射レンズが大きくシフトされた、投射角度θが極端に大きい場合でも、使用者に調整の煩わしさを与えることなく、異なるアスペクト比の入力映像をスクリーン２上に自動的に正しく投射することができる。
【０１０３】
なお、上記第２および第３の実施の形態では、入力映像が、アスペクト比が１６：９のハイビジョン映像から、アスペクト比が２．３５：１のシネマスコープ映画映像に切り替わった場合を例示して説明したが、本発明の投射型映像表示装置はこのような場合に限らず、ハイビジョン映像と字幕付きシネマとの組み合わせ等、入力映像のアスペクト比の種々の組み合わせに対しても、同様に効果を発揮し得ることは言うまでもない。
【０１０４】
また、上記本発明の説明において、各実施形態として説明した液晶プロジェクタでは、使用者がアスペクト比設定部４１を介して入力映像のアスペクト比を投射映像制御部３１に入力する場合について説明した。しかし、本発明の投射型映像表示装置は、これに限られるものではなく、例えば、投射映像制御部３１の機能として、映像信号における入力映像のアスペクト比を自動的に検出できるアスペクト比検出部を有するようにすることもできる。このように、投射映像制御部３１が、入力映像のアスペクト比を自動的に検出できるようにすることで、使用者による操作の煩雑性をより一層低減させることができる。
【０１０５】
また、上記の各実施形態において、本発明の投射型映像表示装置として、ホームシアターなどの家庭用の液晶プロジェクタを例示して説明したが、本発明の投射型映像表示装置は家庭用のものに限らず、駅や博物館などの公共機関に設置されるプロジェクタや、会議室、ホールなどに設置されるビジネス用途のプロジェクタに適用できることは言うまでもない。
【０１０６】
また、表示素子として、透過型の液晶パネルを用いた液晶プロジェクタを例示して説明したが、本発明の投射型映像表示装置の表示素子は、このような透過型の液晶パネルに限られるものではない。例えば、表示素子として、光源からの照射光を背面電極で反射させて変調する反射型の液晶パネルを用いることができる。また、液晶パネル以外にも、表示領域の表示画素として微細なミラーを多数配置したマイクロミラー素子など、光源からの照射光を変調して投射レンズで投射しうる投影像を形成できるものであれば、どのような表示素子でも本発明の表示素子として用いることができる。
【０１０７】
また、上記各実施形態の説明では、液晶プロジェクタの表示素子である液晶パネルにおける表示領域のアスペクト比を１６：９と、また、スクリーンのアスペクト比を２．３５：１としたものを例示して説明したが、本発明の投射型映像表示装置における表示素子の表示領域と、スクリーンのアスペクト比が、上記例示したものに限定されないことも言うまでもない。
【産業上の利用可能性】
【０１０８】
本発明は、アスペクト比の異なる複数の入力映像をスクリーンに表示する投射型の映像表示装置として幅広く利用可能である。
【手続補正３】
【補正対象書類名】図面
【補正対象項目名】全図
【補正方法】変更
【補正の内容】
【図１】
2010023868.tif 000017
【図２】
2010023868.tif 000018
【図３】
2010023868.tif 000019
【図４】
2010023868.tif 000020
【図５】
2010023868.tif 000021
【図６】
2010023868.tif 000022
【図７】
2010023868.tif 000023
【図８】
2010023868.tif 000024
【図９】
2010023868.tif 000025
【図１０】
2010023868.tif 000026
【図１１】
2010023868.tif 000027
【図１２】
2010023868.tif 000028
【図１３】
2010023868.tif 000029
【図１４】
2010023868.tif 000030
【国際調査報告】
2010023868.tif 000031
2010023868.tif 000032